(57)【特許請求の範囲】
【請求項１】
複数の走査信号線と複数のデータ信号線とを備え、データ信号線が延伸する列方向に並べられた複数の画素を含む画素列ごとに、上記画素列の左側に第１のデータ信号線が設けられ、右側に第２のデータ信号線が設けられた表示装置であって、
各画素列において、列方向に隣り合う２つの画素の一方に含まれる画素電極がトランジスタを介して上記第１のデータ信号線に接続され、上記隣り合う２つの画素の他方に含まれる画素電極がトランジスタを介して上記第２のデータ信号線に接続され、
順に並べられた第１、第２及び第３画素列について、
第１画素列に対応する第２のデータ信号線と第２画素列に対応する第１のデータ信号線とが隣り合って配置され、第２画素列に対応する第２のデータ信号線と第３画素列に対応する第１のデータ信号線とが隣り合って配置され、
第２画素列に含まれる各画素電極は、第１画素列に対応する第２のデータ信号線と第１の静電容量を形成し、第２画素列に対応する第１のデータ信号線と第２の静電容量を形成し、第２画素列に対応する第２のデータ信号線と第３の静電容量を形成し、第３画素列に対応する第１のデータ信号線と第４の静電容量を形成するように配置され、
上記第１および第４の静電容量により生じる上記画素電極の電位変動が、上記第２および第３の静電容量により生じる上記画素電極の電位変動を打ち消す方向のものとなるように設定されていることを特徴とする表示装置。
【請求項２】
第２画素列に含まれる各画素電極は、第１画素列に対応する第２のデータ信号線および第２画素列に対応する第１のデータ信号線に重なるように配されるとともに、第２画素列に対応する第２のデータ信号線および第３画素列に対応する第１のデータ信号線に重なるように配されていることを特徴とする請求項１に記載の表示装置。
【請求項３】
走査信号線がＮ本（Ｎは１以上の整数）ずつ同時に選択され、
列方向に隣り合う２つの画素の一方に含まれる画素電極が接続されるトランジスタと、上記隣り合う２つの画素の他方に含まれる画素電極が接続されるトランジスタとが、それぞれ、同時に選択されるＮ本の走査信号線に接続されていることを特徴とする請求項１に記載の表示装置。
【請求項４】
上記Ｎが２であって、走査信号線が２本ずつ同時選択され、
上記隣り合う２つの画素の一方に含まれる画素電極が接続されるトランジスタが、同時に選択される２本の走査信号線の一方に接続され、上記隣り合う２つの画素の他方に含まれる画素電極が接続されるトランジスタが、同時に選択される上記２本の走査信号線の他方に接続されていることを特徴とする請求項３に記載の表示装置。
【請求項５】
同一水平走査期間では、１画素列に対応して設けられる２本のデータ信号線に、互いに異なる極性のデータ信号が供給されることを特徴とする請求項１〜４の何れか１項に記載の表示装置。
【請求項６】
１つの画素に複数の画素電極が設けられていることを特徴とする請求項１に記載の表示装置。
【請求項７】
当該表示装置の駆動方法が、ドット反転駆動またはライン反転駆動であることを特徴とする請求項１に記載の表示装置。
【請求項８】
請求項１〜７の何れか１項に記載の表示装置を備えることを特徴とする液晶表示装置。
【請求項９】
請求項８に記載の液晶表示装置と、テレビジョン放送を受信するチューナ部とを備えることを特徴とするテレビジョン受像機。
【発明の詳細な説明】
【技術分野】
【０００１】
本発明は、１画素列に対応して複数のデータ信号線が設けられた表示装置に関する。
【背景技術】
【０００２】
近年、液晶表示装置の大型・高精細化が進んでいるが、これに伴う画素数の増加やデータ信号線の配線抵抗等の増大によって、各画素を十分に充電することが難しくなってきている。【０００３】
ここで、特許文献１（図２９参照）には、１つの画素列に２本のデータ信号線（左側データ信号線及び右側データ信号線）を設け、同一画素列に含まれる奇数番目の画素の画素電極を左側データ信号線に接続する一方、偶数番目の画素の画素電極を右側データ信号線に接続し、連続する２本の走査信号線（奇数番目の画素に接続する走査信号線及び偶数番目の画素に接続する走査信号線）を同時選択する構成が開示されている。この構成によれば、列方向に隣り合う２つの画素に同時にデータ信号電位を書き込むことができるため、画面の書き換え速度を高めることができ、各画素の充電時間を増加させることができる。
【先行技術文献】
【特許文献】
【０００４】
【特許文献１】日本国公開特許公報「特開平１０−２５３９８７号公報（公開日：１９９８年８月１０日）」
【発明の概要】
【発明が解決しようとする課題】
【０００５】
本願発明者らは、上記のように１つの画素列に複数のデータ信号線を設けた場合に、画素列に含まれる画素電極とこの画素電極に対応するデータ信号線との間の寄生容量が一因と考えられる表示ムラが生じることを見出した。この表示ムラが発生する理由について、図３０〜図３５を用いて以下に説明する。【０００６】
図３０は、本来表示すべき表示画像（白黒色の１ラインストライプパターンで、その周囲がグレー色）の一例を示している。なお、以下では、説明の便宜上、図３１に示すように、図３０における白黒色のストライプパターンの一部に着目する。図３１中、ａ〜ｆ・Ａ〜Ｆは、それぞれ１つの画素に対応している。すなわち、画素ａ・ｂ・ｅ・ｆ・Ａ・Ｂ・Ｅ・Ｆはグレー色の表示を行い、画素ｃ・Ｃは白色の表示を行い、画素ｄ・Ｄは黒色の表示を行う。図３２は、従来の液晶パネルの構成の一部を示す等価回路図である。図３２において、画素１０１〜１０６は図３１に示す画素ａ〜ｆに対応し、画素１１１〜１１６は図３１に示す画素Ａ〜Ｆに対応する。【０００７】
ここで、各画素において生じる寄生容量について説明する。図３３は、画素１０１・１０２・１１１・１１２において生じる寄生容量の様子を示す等価回路図である。同図に示すように、画素１０１では、画素電極１７ａ及びデータ信号線１５ｑ間に寄生容量Ｃｓｄ_ａｑが生じ、画素電極１７ａ及びデータ信号線１５Ｑ間に寄生容量Ｃｓｄ_ａＱが生じ、画素１０２では、画素電極１７ｂ及びデータ信号線１５ｑ間に寄生容量Ｃｓｄ_ｂｑが生じ、画素電極１７ｂ及びデータ信号線１５Ｑ間に寄生容量Ｃｓｄ_ｂＱが生じ、画素１１１では、画素電極１７Ａ及びデータ信号線１５ｒ間に寄生容量Ｃｓｄ_Ａｒが生じ、画素電極１７Ａ及びデータ信号線１５Ｒ間に寄生容量Ｃｓｄ_ＡＲが生じ、画素１１２では、画素電極１７Ｂ及びデータ信号線１５ｒ間に寄生容量Ｃｓｄ_Ｂｒが生じ、画素電極１７Ｂ及びデータ信号線１５Ｒ間に寄生容量Ｃｓｄ_ＢＲが生じる。【０００８】
図３４は、図３１の画像を表示する際の、液晶パネルの駆動方法（ノーマリブラックモード）を示すタイミングチャートであり、図３５はこの駆動方法により表示される表示画像を示している。図３４において、Ｓｐ・ＳＰ・Ｓｑ・ＳＱ・Ｓｒ・ＳＲはそれぞれデータ信号線１５ｐ・１５Ｐ・１５ｑ・１５Ｑ・１５ｒ・１５Ｒ（図３２参照）に供給されるデータ信号を示し、ＧＰａ・ＧＰｂ・ＧＰｃ・ＧＰｄ・ＧＰｅ・ＧＰｆはそれぞれ走査信号線１６ａ・１６ｂ・１６ｃ・１６ｄ・１６ｅ・１６ｆ（図３２参照）に供給されるゲート信号（走査信号）を示し、Ｖａ・Ｖｂ・ＶＡ・ＶＢ・Ｖｃ・Ｖｄ・Ｖｅ・Ｖｆは画素電極１７ａ・１７ｂ・１７Ａ・１７Ｂ・１７ｃ・１７ｄ・１７ｅ・１７ｆ（図３２参照）の電位（画素電位）を示している。【０００９】
本駆動方法では、図３４に示されるように、走査信号線を２本ずつ同時選択していき、データ信号線に供給するデータ信号の極性を１フレーム期間ごとに反転させるとともに、同一水平走査期間においては、同一画素列に対応する２本のデータ信号線（１５ｐ・１５Ｐ、１５ｑ・１５Ｑ、１５ｒ・１５Ｒ）に逆極性のデータ信号を供給しつつ、隣り合う２本のデータ信号線（１５Ｐ・１５ｑ、１５Ｑ・１５ｒ、１５Ｒ・１５ｓ）には同極性のデータ信号を供給する。【００１０】
具体的には、連続するフレームＦ１・Ｆ２のＦ１では、データ信号線１５ｐ、データ信号線１５Ｑ及びデータ信号線１５ｒそれぞれに、ｋ番目の水平走査期間（走査信号線１６ａ・１６ｂの走査期間含む）にプラス極性のデータ信号を供給し、（ｋ＋１）番目の水平走査期間（走査信号線１６ｃ・１６ｄの走査期間含む）にもプラス極性のデータ信号を供給し、（ｋ＋２）番目の水平走査期間（走査信号線１６ｅ・１６ｆの走査期間含む）にもプラス極性のデータ信号を供給する。一方、データ信号線１５Ｐ、データ信号線１５ｑ及びデータ信号線１５Ｒそれぞれに、ｋ番目の水平走査期間（走査信号線１６ａ・１６ｂの走査期間含む）にマイナス極性のデータ信号を供給し、（ｋ＋１）番目の水平走査期間（走査信号線１６ｃ・１６ｄの走査期間含む）にもマイナス極性のデータ信号を供給し、（ｋ＋２）番目の水平走査期間（走査信号線１６ｅ・１６ｆの走査期間含む）にもマイナス極性のデータ信号を供給する。【００１１】
また、Ｆ２では、データ信号線１５ｐ、データ信号線１５Ｑ及びデータ信号線１５ｒそれぞれに、ｋ番目の水平走査期間（走査信号線１６ａ・１６ｂの走査期間含む）にマイナス極性のデータ信号を供給し、（ｋ＋１）番目の水平走査期間（走査信号線１６ｃ・１６ｄの走査期間含む）にもマイナス極性のデータ信号を供給し、（ｋ＋２）番目の水平走査期間（走査信号線１６ｅ・１６ｆの走査期間含む）にもマイナス極性のデータ信号を供給する。一方、データ信号線１５Ｐ、データ信号線１５ｑ及びデータ信号線１５Ｒそれぞれに、ｋ番目の水平走査期間（走査信号線１６ａ・１６ｂの走査期間含む）にプラス極性のデータ信号を供給し、（ｋ＋１）番目の水平走査期間（走査信号線１６ｃ・１６ｄの走査期間含む）にもプラス極性のデータ信号を供給し、（ｋ＋２）番目の水平走査期間（走査信号線１６ｅ・１６ｆの走査期間含む）にもプラス極性のデータ信号を供給する。【００１２】
ここで、図３１の画像を表示する場合、ｋ番目の水平走査期間において、同時選択される走査信号線１６ａ・１６ｂそれぞれに接続される画素電極１７ａ・１７ｂには、大きさ（電圧の絶対値）が互いに等しい逆極性のデータ信号（画素電極１７ａにはグレー色に対応するマイナス極性のデータ信号、画素電極１７ｂにはグレー色に対応するプラス極性のデータ信号）が供給され、（ｋ＋１）番目の水平走査期間において、同時選択される走査信号線１６ｃ・１６ｄそれぞれに接続される画素電極１７ｃ・１７ｄには、大きさ（電圧の絶対値）が互いに異なる逆極性のデータ信号（画素電極１７ｃには白色に対応するマイナス極性のデータ信号、画素電極１７ｄには黒色に対応するプラス極性のデータ信号）が供給され、（ｋ＋２）番目の水平走査期間において、同時選択される走査信号線１６ｅ・１６ｆそれぞれに接続される画素電極１７ｅ・１７ｆには、大きさ（電圧の絶対値）が互いに等しい逆極性のデータ信号（画素電極１７ｅにはグレー色に対応するマイナス極性のデータ信号、画素電極１７ｆにはグレー色に対応するプラス極性のデータ信号）が供給される。【００１３】
このように、データ信号線１５ｑでは、ｋ番目の水平走査期間にグレー色に対応するマイナス極性のデータ信号が供給され、（ｋ＋１）番目の水平走査期間に白色に対応するマイナス極性のデータ信号が供給され、（ｋ＋２）番目の水平走査期間にグレー色に対応するマイナス極性のデータ信号が供給される。一方、データ信号線１５Ｑでは、ｋ番目の水平走査期間にグレー色に対応するプラス極性のデータ信号が供給され、（ｋ＋１）番目の水平走査期間に黒色に対応するプラス極性のデータ信号が供給され、（ｋ＋２）番目の水平走査期間にグレー色に対応するプラス極性のデータ信号が供給される。すなわち、データ信号線１５ｑ・１５Ｑに供給されるデータ信号電位は、ｋ番目の水平走査期間から（ｋ＋１）番目の水平走査期間へ移行すると、突き下がる方向（マイナス側）へ変化し、（ｋ＋１）番目の水平走査期間から（ｋ＋２）番目の水平走査期間へ移行すると、突き上がる方向（プラス側）へ変化する。【００１４】
そのため、例えば画素電極１７ａでは、ｋ番目の水平走査期間に書き込まれた画素電位Ｖａ（グレー色に対応するマイナス極性のデータ信号）が、（ｋ＋１）番目の水平走査期間において、データ信号線１５ｑ・１５Ｑとの間の寄生容量Ｃｓｄ_ａｑ・Ｃｓｄ_ａＱに起因して、突き下げられる方向（マイナス側）に変動し、（ｋ＋２）番目の水平走査期間において、データ信号線１５ｑ・１５Ｑとの間の寄生容量Ｃｓｄ_ａｑ・Ｃｓｄ_ａＱに起因して、突き上げられる方向（プラス側）に変動する（図３４参照）。同様に、画素電極１７ｂでは、ｋ番目の水平走査期間に書き込まれた画素電位Ｖｂ（グレー色に対応するプラス極性のデータ信号）が、（ｋ＋１）番目の水平走査期間において、データ信号線１５ｑ・１５Ｑとの間の寄生容量Ｃｓｄ_ｂｑ・Ｃｓｄ_ｂＱに起因して、突き下げられる方向（マイナス側）に変動し、（ｋ＋２）番目の水平走査期間において、データ信号線１５ｑ・１５Ｑとの間の寄生容量Ｃｓｄ_ａｑ・Ｃｓｄ_ａＱに起因して、突き上げられる方向（プラス側）に変動する（図３４参照）。【００１５】
一方、画素電極１７ｅでは、前フレーム期間に書き込まれた画素電位Ｖｅ（グレー色に対応するプラス極性のデータ信号）が、（ｋ＋１）番目の水平走査期間において、データ信号線１５ｑ・１５Ｑとの間の寄生容量Ｃｓｄ_ｅｑ・Ｃｓｄ_ｅＱ（図示せず）に起因して、突き下げられる方向（マイナス側）に変動する（図３４参照）。同様に、画素電極１７ｆでは、前フレーム期間に書き込まれた画素電位Ｖｆ（グレー色に対応するマイナス極性のデータ信号）が、（ｋ＋１）番目の水平走査期間において、データ信号線１５ｑ・１５Ｑとの間の寄生容量Ｃｓｄ_ｆｑ・Ｃｓｄ_ｆＱ（図示せず）に起因して、突き下げられる方向（マイナス側）に変動する（図３４参照）。【００１６】
そのため、図３５に示すように、画素電極１７ａを含む画素ａでは本来の表示（グレー色）よりも明るくなり、画素電極１７ｂを含む画素ｂでは本来の表示（グレー色）よりも暗くなる。また、画素電極１７ｅを含む画素ｅでは本来の表示（グレー色）よりも暗くなり、画素電極１７ｆを含む画素ｆでは本来の表示（グレー色）よりも明るくなる。このようにして表示画像にムラやちらつきが視認される。このような表示ムラは、図３０に示すようにストライプパターンが多い画像ほど顕著に現れることになる。【００１７】
本発明は、上記問題点に鑑み、１画素列に対応して複数のデータ信号線が設けられた表示装置の表示品位を高めることを目的とする。
【課題を解決するための手段】
【００１８】
本発明に係る表示装置は、上記課題を解決するために、
複数の走査信号線と複数のデータ信号線とを備え、データ信号線が延伸する列方向に並べられた複数の画素を含む画素列ごとに、２本のデータ信号線が設けられた表示装置であって、
各画素列において、列方向に隣り合う２つの画素の一方に含まれる画素電極がトランジスタを介して接続されるデータ信号線と、上記隣り合う２つの画素の他方に含まれる画素電極がトランジスタを介して接続されるデータ信号線とが、互いに異なっており、
順に並べられた第１、第２及び第３画素列について、第２画素列に含まれる各画素電極は、第１画素列に対応して設けられた２本のデータ信号線の一方と容量を形成しているとともに、第３画素列に対応して設けられた２本のデータ信号線の一方と容量を形成していることを特徴とする。【００１９】
上記の構成によれば、各画素電極において、自画素に対応するデータ信号線との間に形成される寄生容量に起因するクロストークの影響を、隣り合う画素列に対応するデータ信号線との間に形成される容量により低減することができる。これにより、各画素電極における画素電位の変動を抑えることができるため、液晶表示装置の表示品位を高めることができる。
【発明の効果】
【００２０】
以上のように、本発明に係る表示装置では、順に並べられた第１、第２及び第３画素列について、第２画素列に含まれる各画素電極は、第１画素列に対応して設けられた２本のデータ信号線の一方と容量を形成しているとともに、第３画素列に対応して設けられた２本のデータ信号線の一方と容量を形成している。これにより、１画素列に対応して複数のデータ信号線が設けられた表示装置の表示品位を高めることができる。
【図面の簡単な説明】
【００２１】
【図１】本実施の形態における液晶パネル（構成例１）の一部を示す等価回路図である。
【図２】図１の液晶パネルにおける画素１０１・１０２・１１１・１１２において形成される各容量の様子を示す等価回路図である。
【図３】図１の液晶パネルの駆動方法を示すタイミングチャートである。
【図４】図３の駆動方法による液晶パネルの表示状態を示す模式図である。
【図５】図１の液晶パネルの構成を示す平面図である。
【図６】図５の液晶パネルのＸ−Ｙ矢視断面図である。
【図７】構成例２における液晶パネルの構成の一部を示す等価回路図である。
【図８】図７の液晶パネルにおける画素１０１・１０２・１０３・１１１・１１２・１１３において形成される各容量の様子を示す等価回路図である。
【図９】図７の液晶パネルの駆動方法を示すタイミングチャートである。
【図１０】図９の駆動方法による液晶パネルの表示状態を示す模式図である。
【図１１】図７の液晶パネルの構成を示す平面図である。
【図１２】構成例３における液晶パネルの構成の一部を示す等価回路図である。
【図１３】図１２の液晶パネルにおける画素１０１・１０２・１１１・１１２において形成される各容量の様子を示す等価回路図である。
【図１４】図１２の液晶パネルの駆動方法を示すタイミングチャートである。
【図１５】図１２の液晶パネルの構成を示す平面図である。
【図１６】構成例４における液晶パネルの構成の一部を示す等価回路図である。
【図１７】構成例５における液晶パネルの構成の一部を示す等価回路図である。
【図１８】図１７の液晶パネルにおける画素１０１・１０２・１１１・１１２において形成される各容量の様子を示す等価回路図である。
【図１９】図１７の液晶パネルの駆動方法を示すタイミングチャートである。
【図２０】図１９の駆動方法による液晶パネルの表示状態を示す模式図である。
【図２１】表示すべき画像の一例を示す図である。
【図２２】本液晶表示ユニットおよび本液晶表示装置の構成を示す模式図であり、（ａ）は本液晶表示ユニットの構成を示し、（ｂ）は本液晶表示装置の構成を示す。
【図２３】ソースドライバの他の構成を示す回路図である。
【図２４】ソースドライバのさらに他の構成を示す回路図である。
【図２５】本液晶表示装置の全体構成を説明するブロック図である。
【図２６】本液晶表示装置の機能を説明するブロック図である。
【図２７】本テレビジョン受像機の機能を説明するブロック図である。
【図２８】本テレビジョン受像機の構成を示す分解斜視図である。
【図２９】従来の液晶表示装置の構成を示す平面図である。
【図３０】表示すべき画像の一例を示す図である。
【図３１】図３０の画像の一部を示す図である。
【図３２】従来の液晶パネルの構成の一部を示す等価回路図である。
【図３３】従来の液晶パネルの画素１０１・１０２・１１１・１１２において生じる寄生容量の様子を示す等価回路図である。
【図３４】図３１の画像を表示する際の、液晶パネルの駆動方法を示すタイミングチャートである。
【図３５】図３４の駆動方法により表示される表示画像を示す図である。
【発明を実施するための形態】
【００２２】
本発明にかかる実施の形態の例を、図面を用いて説明すれば、以下のとおりである。なお、説明の便宜のため、以下ではデータ信号線の延伸方向を列方向、走査信号線の延伸方向を行方向とする。ただし、本液晶表示装置（あるいはこれに用いられる液晶パネルやアクティブマトリクス基板）の利用（視聴）状態において、その走査信号線が横方向に延伸していても縦方向に延伸していてもよいことはいうまでもない。また、アクティブマトリクス基板の１つの画素領域は、液晶パネルの１つの画素に対応している。
【００２３】
図１は、本実施の形態における液晶パネルの一部を示す等価回路図である。図１に示すように、本液晶パネル１０では、データ信号線１５ｐ・１５Ｐ・１５ｑ・１５Ｑ・１５ｒ・１５Ｒ・１５ｓ・１５Ｓがこの順に並べられ、行方向（図中左右方向）に延伸する走査信号線１６ａ・１６ｂ・１６ｃ・１６ｄ・１６ｅ・１６ｆがこの順に並べられている。データ信号線１５ｑ・１５Ｑ及び走査信号線１６ａの交差部に対応して画素１０１が設けられ、データ信号線１５ｑ・１５Ｑ及び走査信号線１６ｂの交差部に対応して画素１０２が設けられ、データ信号線１５ｑ・１５Ｑ及び走査信号線１６ｃの交差部に対応して画素１０３が設けられ、同様にして画素１０４・１０５・１０６が設けられている。
【００２４】
また、データ信号線１５ｒ・１５Ｒ及び走査信号線１６ａの交差部に対応して画素１１１が設けられ、データ信号線１５ｒ・１５Ｒ及び走査信号線１６ｂの交差部に対応して画素１１２が設けられ、データ信号線１５ｒ・１５Ｒ及び走査信号線１６ｃの交差部に対応して画素１１３が設けられ、同様にして画素１１４・１１５・１１６が設けられている。
【００２５】
画素１０１・１１１に対応して保持容量配線１８ａが設けられ、画素１０２・１１２に対応して保持容量配線１８ｂが設けられ、画素１０３・１１３に対応して保持容量配線１８ｃが設けられ、画素１０４・１１４に対応して保持容量配線１８ｄが設けられ、画素１０５・１１５に対応して保持容量配線１８ｅが設けられ、画素１０６・１１６に対応して保持容量配線１８ｆが設けられている。
【００２６】
ここで、データ信号線１５ｐ・１５Ｐは、列方向に複数の画素を含む画素列α（第１画素列）に対応して設けられ、データ信号線１５ｑ・１５Ｑは、画素１０１〜１０６を含む画素列β（第２画素列）に対応して設けられ、データ信号線１５ｒ・１５Ｒは画素１１１〜１１６を含む画素列γ（第３画素列）に対応して設けられている。
【００２７】
さらに、各画素に１つずつ画素電極が設けられ、画素１０１の画素電極１７ａは、走査信号線１６ａに繋がるトランジスタ１２ａを介してデータ信号線１５ｑに接続され、画素１０２の画素電極１７ｂは、走査信号線１６ｂに繋がるトランジスタ１２ｂを介してデータ信号線１５Ｑに接続され、画素１０３の画素電極１７ｃは、走査信号線１６ｃに繋がるトランジスタ１２ｃを介してデータ信号線１５ｑに接続され、画素１０４の画素電極１７ｄは、走査信号線１６ｄに繋がるトランジスタ１２ｄを介してデータ信号線１５Ｑに接続され、画素１０５の画素電極１７ｅは、走査信号線１６ｅに繋がるトランジスタ１２ｅを介してデータ信号線１５ｑに接続され、画素１０６の画素電極１７ｆは、走査信号線１６ｆに繋がるトランジスタ１２ｆを介してデータ信号線１５Ｑに接続されている。
【００２８】
一方、画素１１１の画素電極１７Ａは、走査信号線１６ａに繋がるトランジスタ１２Ａを介してデータ信号線１５ｒに接続され、画素１１２の画素電極１７Ｂは、走査信号線１６ｂに繋がるトランジスタ１２Ｂを介してデータ信号線１５Ｒに接続され、画素１１３の画素電極１７Ｃは、走査信号線１６ｃに繋がるトランジスタ１２Ｃを介してデータ信号線１５ｒに接続され、画素１１４の画素電極１７Ｄは、走査信号線１６ｄに繋がるトランジスタ１２Ｄを介してデータ信号線１５Ｒに接続され、画素１１５の画素電極１７Ｅは、走査信号線１６ｅに繋がるトランジスタ１２Ｅを介してデータ信号線１５ｒに接続され、画素１１６の画素電極１７Ｆは、走査信号線１６ｆに繋がるトランジスタ１２Ｆを介してデータ信号線１５Ｒに接続されている。
【００２９】
すなわち、画素列βの偶数番目となる各画素（１０２・１０４・１０６）の画素電極（１７ｂ・１７ｄ・１７ｆ）が接続するデータ信号線１５Ｑと、画素列γの奇数番目となる画素（１１１・１１３・１１５）の画素電極（１７ａ・１７ｃ・１７ｅ）が接続するデータ信号線１５ｒとが、隣り合っている。
【００３０】
また、画素１０１の画素電極１７ａ及び画素１１１の画素電極１７Ａに対応する走査信号線１６ａと、画素１０２の画素電極１７ｂ及び画素１１２の画素電極１７Ｂに対応する走査信号線１６ｂとがパネル内あるいはパネル外で電気的に接続され、走査信号線１６ａ・１６ｂは同時選択される。また、画素１０３の画素電極１７ｃ及び画素１１３の画素電極１７Ｃに対応する走査信号線１６ｃと、画素１０４の画素電極１７ｄ及び画素１１４の画素電極１７Ｄに対応する走査信号線１６ｄとがパネル内あるいはパネル外で電気的に接続され、走査信号線１６ｃ・１６ｄは同時選択される。また、画素１０５の画素電極１７ｅ及び画素１１５の画素電極１７Ｅに対応する走査信号線１６ｅと、画素１０６の画素電極１７ｆ及び画素１１６の画素電極１７Ｆに対応する走査信号線１６ｆとがパネル内あるいはパネル外で電気的に接続され、走査信号線１６ｅ・１６ｆは同時選択される。なお、走査信号線１６ａと走査信号線１６ｂ、走査信号線１６ｃと走査信号線１６ｄ、及び、走査信号線１６ｅと走査信号線１６ｆとが、パネル内外で電気的に接続されずに同時選択される構成とすることも可能である。
【００３１】
上記の構成において、保持容量配線１８ａ及び画素電極１７ａ間に保持容量Ｃｈａが形成され、保持容量配線１８ｂ及び画素電極１７ｂ間に保持容量Ｃｈｂが形成され、保持容量配線１８ｃ及び画素電極１７ｃ間に保持容量Ｃｈｃが形成され、保持容量配線１８ｄ及び画素電極１７ｄ間に保持容量Ｃｈｄが形成され、保持容量配線１８ｅ及び画素電極１７ｅ間に保持容量Ｃｈｅが形成され、保持容量配線１８ｆ及び画素電極１７ｆ間に保持容量Ｃｈｆが形成される。同様に、保持容量配線１８ａ及び画素電極１７Ａ間に保持容量ＣｈＡが形成され、保持容量配線１８ｂ及び画素電極１７Ｂ間に保持容量ＣｈＢが形成され、保持容量配線１８ｃ及び画素電極１７Ｃ間に保持容量ＣｈＣが形成され、保持容量配線１８ｄ及び画素電極１７Ｄ間に保持容量ＣｈＤが形成され、保持容量配線１８ｅ及び画素電極１７Ｅ間に保持容量ＣｈＥが形成され、保持容量配線１８ｆ及び画素電極１７Ｆ間に保持容量ＣｈＦが形成される。
【００３２】
ここで、図３３に示したように、画素電極及びデータ信号線間には、その構造上、寄生容量が生じる。すなわち、画素１０１では、画素電極１７ａ及びデータ信号線１５ｑ間に寄生容量Ｃｓｄ_ａｑが生じ、画素電極１７ａ及びデータ信号線１５Ｑ間に寄生容量Ｃｓｄ_ａＱが生じ、画素１０２では、画素電極１７ｂ及びデータ信号線１５ｑ間に寄生容量Ｃｓｄ_ｂｑが生じ、画素電極１７ｂ及びデータ信号線１５Ｑ間に寄生容量Ｃｓｄ_ｂＱが生じ、画素１１１では、画素電極１７Ａ及びデータ信号線１５ｒ間に寄生容量Ｃｓｄ_Ａｒが生じ、画素電極１７Ａ及びデータ信号線１５Ｒ間に寄生容量Ｃｓｄ_ＡＲが生じ、画素１１２では、画素電極１７Ｂ及びデータ信号線１５ｒ間に寄生容量Ｃｓｄ_Ｂｒが生じ、画素電極１７Ｂ及びデータ信号線１５Ｒ間に寄生容量Ｃｓｄ_ＢＲが生じる。なお、便宜上、図１では、上記寄生容量は省略している。
【００３３】
このような構造上の寄生容量により、従来では、画素電極にデータ信号が書き込まれた後（対応するトランジスタがオフした後）に、画素電位が変動し表示ムラが生じるという問題がある（図３４及び図３５参照）。
【００３４】
そこで、本発明では、各画素電極が、隣り合う画素列に対応するデータ信号線と容量を形成することにより、上記画素電位の変動を抑える構成を有している。
【００３５】
具体的には、図１に示すように、画素１０１では、画素電極１７ａ及びデータ信号線１５Ｐ間に容量ＣａＰが形成され、画素電極１７ａ及びデータ信号線１５ｒ間に容量Ｃａｒが形成され、画素１０２では、画素電極１７ｂ及びデータ信号線１５Ｐ間に容量ＣｂＰが形成され、画素電極１７ｂ及びデータ信号線１５ｒ間に容量Ｃｂｒが形成され、画素１０３では、画素電極１７ｃ及びデータ信号線１５Ｐ間に容量ＣｃＰが形成され、画素電極１７ｃ及びデータ信号線１５ｒ間に容量Ｃｃｒが形成され、画素１０４では、画素電極１７ｄ及びデータ信号線１５Ｐ間に容量ＣｄＰが形成され、画素電極１７ｄ及びデータ信号線１５ｒ間に容量Ｃｄｒが形成され、画素１０５では、画素電極１７ｅ及びデータ信号線１５Ｐ間に容量ＣｅＰが形成され、画素電極１７ｅ及びデータ信号線１５ｒ間に容量Ｃｅｒが形成され、画素１０６では、画素電極１７ｆ及びデータ信号線１５Ｐ間に容量ＣｆＰが形成され、画素電極１７ｆ及びデータ信号線１５ｒ間に容量Ｃｆｒが形成されている。
【００３６】
同様に、画素１１１では、画素電極１７Ａ及びデータ信号線１５Ｑ間に容量ＣＡＱが形成され、画素電極１７Ａ及びデータ信号線１５ｓ間に容量ＣＡｓが形成され、画素１１２では、画素電極１７Ｂ及びデータ信号線１５Ｑ間に容量ＣＢＱが形成され、画素電極１７Ｂ及びデータ信号線１５ｓ間に容量ＣＢｓが形成され、画素１１３では、画素電極１７Ｃ及びデータ信号線１５Ｑ間に容量ＣＣＱが形成され、画素電極１７Ｃ及びデータ信号線１５ｓ間に容量ＣＣｓが形成され、画素１１４では、画素電極１７Ｄ及びデータ信号線１５Ｑ間に容量ＣＤＱが形成され、画素電極１７Ｄ及びデータ信号線１５ｓ間に容量ＣＤｓが形成され、画素１１５では、画素電極１７Ｅ及びデータ信号線１５Ｑ間に容量ＣＥＱが形成され、画素電極１７Ｅ及びデータ信号線１５ｓ間に容量ＣＥｓが形成され、画素１１６では、画素電極１７Ｆ及びデータ信号線１５Ｑ間に容量ＣＦＱが形成され、画素電極１７Ｆ及びデータ信号線１５ｓ間に容量ＣＦｓが形成されている。
【００３７】
図２は、本液晶パネルにおける画素１０１・１０２・１１１・１１２において形成される各容量の様子を示す等価回路図である。同図に示すように、各画素電極には、自画素に対応するデータ信号線との間に寄生容量が形成され、隣り合う画素列に対応するデータ信号線との間に容量が形成されている。例えば、画素電極１７ｂには、画素１０２に対応するデータ信号線１５ｑ及びデータ信号線１５Ｑとの間に寄生容量Ｃｓｄ＿ｂｑ及びＣｓｄ＿ｂＱが形成され、隣り合う画素列αに対応するデータ信号線１５Ｐ及び隣り合う画素列γに対応するデータ信号線１５ｒとの間に容量ＣｂＰ及びＣｂｒが形成されている。
【００３８】
（液晶パネルの駆動方法）
図３は、図１の液晶パネルの駆動方法（ノーマリブラックモード）を示すタイミングチャートである。なお、Ｓｐ・ＳＰ・Ｓｑ・ＳＱ・Ｓｒ・ＳＲはそれぞれデータ信号線１５ｐ・１５Ｐ・１５ｑ・１５Ｑ・１５ｒ・１５Ｒ（図１参照）に供給されるデータ信号を示し、ＧＰａ・ＧＰｂ・ＧＰｃ・ＧＰｄ・ＧＰｅ・ＧＰｆはそれぞれ走査信号線１６ａ・１６ｂ・１６ｃ・１６ｄ・１６ｅ・１６ｆ（図１参照）に供給されるゲート信号（走査信号）を示し、Ｖａ・Ｖｂ・ＶＡ・ＶＢ・Ｖｃ・Ｖｄ・Ｖｅ・Ｖｆは画素電極１７ａ・１７ｂ・１７Ａ・１７Ｂ・１７ｃ・１７ｄ・１７ｅ・１７ｆ（図１参照）の電位（画素電位）を示している。
【００３９】
本駆動方法では、図３に示されるように、走査信号線を２本ずつ同時選択していき、データ信号線に供給するデータ信号の極性を１フレーム期間ごとに反転させるとともに、同一水平走査期間においては、同一画素列に対応する２本のデータ信号線（１５ｐ・１５Ｐ、１５ｑ・１５Ｑ、１５ｒ・１５Ｒ）に逆極性のデータ信号を供給しつつ、隣り合う２本のデータ信号線（１５Ｐ・１５ｑ、１５Ｑ・１５ｒ、１５Ｒ・１５ｓ）には同極性のデータ信号を供給する。
【００４０】
具体的には、連続するフレームＦ１・Ｆ２のＦ１では、データ信号線１５ｐ、データ信号線１５Ｑ及びデータ信号線１５ｒそれぞれに、ｋ番目の水平走査期間（走査信号線１６ａ・１６ｂの走査期間含む）にプラス極性のデータ信号を供給し、（ｋ＋１）番目の水平走査期間（走査信号線１６ｃ・１６ｄの走査期間含む）にもプラス極性のデータ信号を供給し、（ｋ＋２）番目の水平走査期間（走査信号線１６ｅ・１６ｆの走査期間含む）にもプラス極性のデータ信号を供給する。一方、データ信号線１５Ｐ、データ信号線１５ｑ及びデータ信号線１５Ｒそれぞれに、ｋ番目の水平走査期間（走査信号線１６ａ・１６ｂの走査期間含む）にマイナス極性のデータ信号を供給し、（ｋ＋１）番目の水平走査期間（走査信号線１６ｃ・１６ｄの走査期間含む）にもマイナス極性のデータ信号を供給し、（ｋ＋２）番目の水平走査期間（走査信号線１６ｅ・１６ｆの走査期間含む）にもマイナス極性のデータ信号を供給する。そして、ｋ番目の水平走査期間の開始と同時にゲートパルス信号（ゲートオンパルス信号）ＧＰａのパルスとゲートパルス信号ＧＰｂのパルスとを立ち上げ、（ｋ＋１）番目の水平走査期間の開始（ｋ番目の水平走査期間の終了）と同時にＧＰａ及びＧＰｂのパルスを立ち下げるとともに、ゲートパルス信号ＧＰｃのパルスとゲートパルス信号ＧＰｄのパルスとを立ち上げ、（ｋ＋２）番目の水平走査期間の開始（（ｋ＋１）番目の水平走査期間の終了）と同時にＧＰｃ及びＧＰｄのパルスを立ち下げるとともに、ゲートパルス信号ＧＰｅのパルスとゲートパルス信号ＧＰｆのパルスとを立ち上げる。
【００４１】
これにより、図４のフレームＦ１に示すように、画素１０１の画素電極１７ａにはマイナス極性、画素１０２の画素電極１７ｂにはプラス極性、画素１０３の画素電極１７ｃにはマイナス極性、画素１０４の画素電極１７ｄにはプラス極性、画素１０５の画素電極１７ｅにはマイナス極性、画素１０６の画素電極１７ｆにはプラス極性のデータ信号が書き込まれ、画素１１１の画素電極１７Ａにはプラス極性、画素１１２の画素電極１７Ｂにはマイナス極性、画素１１３の画素電極１７Ｃにはプラス極性、画素１１４の画素電極１７Ｄにはマイナス極性、画素１１５の画素電極１７Ｅにはプラス極性、画素１１６の画素電極１７Ｆにはマイナス極性のデータ信号が書き込まれる。
【００４２】
また、フレームＦ２では、データ信号線１５ｐ、データ信号線１５Ｑ及びデータ信号線１５ｒそれぞれに、ｋ番目の水平走査期間（走査信号線１６ａ・１６ｂの走査期間含む）にマイナス極性のデータ信号を供給し、（ｋ＋１）番目の水平走査期間（走査信号線１６ｃ・１６ｄの走査期間含む）にもマイナス極性のデータ信号を供給し、（ｋ＋２）番目の水平走査期間（走査信号線１６ｅ・１６ｆの走査期間含む）にもマイナス極性のデータ信号を供給する。また、データ信号線１５Ｐ、データ信号線１５ｑ及びデータ信号線１５Ｒそれぞれに、ｋ番目の水平走査期間（走査信号線１６ａ・１６ｂの走査期間含む）にプラス極性のデータ信号を供給し、（ｋ＋１）番目の水平走査期間（走査信号線１６ｃ・１６ｄの走査期間含む）にもプラス極性のデータ信号を供給し、（ｋ＋２）番目の水平走査期間（走査信号線１６ｅ・１６ｆの走査期間含む）にもプラス極性のデータ信号を供給する。そして、ｋ番目の水平走査期間の開始と同時にゲートパルス信号（ゲートオンパルス信号）ＧＰａのパルスとゲートパルス信号ＧＰｂのパルスとを立ち上げ、（ｋ＋１）番目の水平走査期間の開始（ｋ番目の水平走査期間の終了）と同時にＧＰａ及びＧＰｂのパルスを立ち下げるとともに、ゲートパルス信号ＧＰｃのパルスとゲートパルス信号ＧＰｄのパルスとを立ち上げ、（ｋ＋２）番目の水平走査期間の開始（（ｋ＋１）番目の水平走査期間の終了）と同時にＧＰｃ及びＧＰｄのパルスを立ち下げるとともに、ゲートパルス信号ＧＰｅのパルスとゲートパルス信号ＧＰｆのパルスとを立ち上げる。
【００４３】
これにより、図４のフレームＦ２に示すように、画素１０１の画素電極１７ａにはプラス極性、画素１０２の画素電極１７ｂにはマイナス極性、画素１０３の画素電極１７ｃにはプラス極性、画素１０４の画素電極１７ｄにはマイナス極性、画素１０５の画素電極１７ｅにはプラス極性、画素１０６の画素電極１７ｆにはマイナス極性のデータ信号が書き込まれ、画素１１１の画素電極１７Ａにはマイナス極性、画素１１２の画素電極１７Ｂにはプラス極性、画素１１３の画素電極１７Ｃにはマイナス極性、画素１１４の画素電極１７Ｄにはプラス極性、画素１１５の画素電極１７Ｅにはマイナス極性、画素１１６の画素電極１７Ｆにはプラス極性のデータ信号が書き込まれる。
【００４４】
上記の駆動方法によれば、ドット反転駆動が実現される。
【００４５】
ここで、図３１の画像を表示する場合、ｋ番目の水平走査期間において、同時選択される走査信号線１６ａ・１６ｂそれぞれに接続される画素電極１７ａ・１７ｂには、大きさ（電圧の絶対値）が互いに等しい逆極性のデータ信号（画素電極１７ａにはグレー色に対応するマイナス極性のデータ信号、画素電極１７ｂにはグレー色に対応するプラス極性のデータ信号）が供給され、（ｋ＋１）番目の水平走査期間において、同時選択される走査信号線１６ｃ・１６ｄそれぞれに接続される画素電極１７ｃ・１７ｄには、大きさ（電圧の絶対値）が互いに異なる逆極性のデータ信号（画素電極１７ｃには白色に対応するマイナス極性のデータ信号、画素電極１７ｄには黒色に対応するプラス極性のデータ信号）が供給され、（ｋ＋２）番目の水平走査期間において、同時選択される走査信号線１６ｅ・１６ｆそれぞれに接続される画素電極１７ｅ・１７ｆには、大きさ（電圧の絶対値）が互いに等しい逆極性のデータ信号（画素電極１７ｅにはグレー色に対応するマイナス極性のデータ信号、画素電極１７ｆにはグレー色に対応するプラス極性のデータ信号）が供給される。
【００４６】
このように、データ信号線１５ｑでは、ｋ番目の水平走査期間にグレー色に対応するマイナス極性のデータ信号が供給され、（ｋ＋１）番目の水平走査期間に白色に対応するマイナス極性のデータ信号が供給され、（ｋ＋２）番目の水平走査期間にグレー色に対応するマイナス極性のデータ信号が供給される。一方、データ信号線１５Ｑでは、ｋ番目の水平走査期間にグレー色に対応するプラス極性のデータ信号が供給され、（ｋ＋１）番目の水平走査期間に黒色に対応するプラス極性のデータ信号が供給され、（ｋ＋２）番目の水平走査期間にグレー色に対応するプラス極性のデータ信号が供給される。すなわち、データ信号線１５ｑ・１５Ｑに供給されるデータ信号電位は、ｋ番目の水平走査期間から（ｋ＋１）番目の水平走査期間へ移行すると、突き下がる方向（マイナス側）へ変化し、（ｋ＋１）番目の水平走査期間から（ｋ＋２）番目の水平走査期間へ移行すると、突き上がる方向（プラス側）へ変化する。
【００４７】
そのため、例えば画素電極１７ａでは、ｋ番目の水平走査期間に書き込まれた画素電位Ｖａ（グレー色に対応するマイナス極性のデータ信号）が、（ｋ＋１）番目の水平走査期間において、データ信号線１５ｑ・１５Ｑとの間の寄生容量Ｃｓｄ_ａｑ・Ｃｓｄ_ａＱに起因して、突き下げられる方向（マイナス側）に変動し、（ｋ＋２）番目の水平走査期間において、データ信号線１５ｑ・１５Ｑとの間の寄生容量Ｃｓｄ_ａｑ・Ｃｓｄ_ａＱに起因して、突き上げられる方向（プラス側）に変動する（図３４参照）。
【００４８】
しかし、本構成では、画素電極１７ａが、データ信号線１５Ｐ・１５ｒと容量ＣａＰ・Ｃａｒを形成している。このデータ信号線１５Ｐでは、ｋ番目の水平走査期間にグレー色に対応するマイナス極性のデータ信号が供給され、（ｋ＋１）番目の水平走査期間に黒色に対応するマイナス極性のデータ信号が供給され、（ｋ＋２）番目の水平走査期間にグレー色に対応するマイナス極性のデータ信号が供給される。また、データ信号線１５ｒでは、ｋ番目の水平走査期間にグレー色に対応するプラス極性のデータ信号が供給され、（ｋ＋１）番目の水平走査期間に白色に対応するプラス極性のデータ信号が供給され、（ｋ＋２）番目の水平走査期間にグレー色に対応するプラス極性のデータ信号が供給される。
【００４９】
そのため、画素電極１７ａでは、ｋ番目の水平走査期間に書き込まれた画素電位Ｖａ（グレー色に対応するマイナス極性のデータ信号）が、（ｋ＋１）番目の水平走査期間において、容量ＣａＰ・Ｃａｒに起因して、突き上げられる方向（プラス側）に変動し、（ｋ＋２）番目の水平走査期間において、容量ＣａＰ・Ｃａｒに起因して、突き下げられる方向（マイナス側）に変動する。これにより、寄生容量に起因する電位変動を、隣り合う画素列に対応するデータ信号線との間に形成される容量に起因する電位変動により打ち消すことができるため、クロストークの影響を抑え、表示品位を高めることができる。
【００５０】
同様に、画素電極１７ｂでは、ｋ番目の水平走査期間に書き込まれた画素電位Ｖｂ（グレー色に対応するプラス極性のデータ信号）が、（ｋ＋１）番目の水平走査期間において、データ信号線１５ｑ・１５Ｑとの間の寄生容量Ｃｓｄ_ｂｑ・Ｃｓｄ_ｂＱに起因して突き下げられる方向（マイナス側）に変動（図３４参照）するが、容量ＣｂＰ・Ｃｂｒに起因して突き上げられる方向（プラス側）に変動し、（ｋ＋２）番目の水平走査期間において、データ信号線１５ｑ・１５Ｑとの間の寄生容量Ｃｓｄ_ｂｑ・Ｃｓｄ_ｂＱに起因して突き上げられる方向（プラス側）に変動（図３４参照）するが、容量ＣｂＰ・Ｃｂｒに起因して突き下げられる方向（マイナス側）に変動する。これにより、寄生容量に起因する電位変動を、隣り合う画素列に対応するデータ信号線との間に形成される容量に起因する電位変動により打ち消すことができるため、クロストークの影響を抑えることができる。
【００５１】
（液晶パネルの構成例１）
図５は、図１の液晶パネルの構成を示す平面図である。
【００５２】
構成例１における本液晶パネル１０では、図５に示されるように、一対（２本）のデータ信号線１５ｑ・１５Ｑと、一対（２本）のデータ信号線１５ｒ・１５Ｒとが、データ信号線１５Ｑ及びデータ信号線１５ｒが隣り合うように設けられ、各データ信号線と直交するように、走査信号線１６ａ及び走査信号線１６ｂが設けられ、データ信号線１５ｑ及び走査信号線１６ａの交差部近傍にトランジスタ１２ａが設けられ、データ信号線１５Ｑ及び走査信号線１６ｂの交差部近傍にトランジスタ１２ｂが設けられ、データ信号線１５ｒ及び走査信号線１６ａの交差部近傍にトランジスタ１２Ａが設けられ、データ信号線１５Ｒ及び走査信号線１６ｂの交差部近傍にトランジスタ１２Ｂが設けられている。
【００５３】
画素電極１７ａはその一部がデータ信号線１５Ｐ・１５ｑ・１５Ｑ・１５ｒに重なるように設けられ、画素電極１７ｂはその一部がデータ信号線１５Ｐ・１５ｑ・１５Ｑ・１５ｒに重なるように設けられ、画素電極１７Ａはその一部がデータ信号線１５Ｑ・１５ｒ・１５Ｒ・１５ｓに重なるように設けられ、画素電極１７Ｂはその一部がデータ信号線１５Ｑ・１５ｒ・１５Ｒ・１５ｓに重なるように設けられている。
【００５４】
また、画素電極１７ａ・１７Ａに重なるように保持容量配線１８ａが設けられ、画素電極１７ｂ・１７Ｂに重なるように保持容量配線１８ｂが設けられている。
【００５５】
そして、走査信号線１６ａがトランジスタ１２ａのゲート電極として機能し、トランジスタ１２ａのソース電極はデータ信号線１５ｑに接続され、ドレイン電極はドレイン引き出し電極２７ａを介して容量電極３７ａに接続されている。容量電極３７ａは保持容量配線１８ａ上に設けられ、コンタクトホール１１ａを介して画素電極１７ａに接続されている。また、走査信号線１６ｂがトランジスタ１２ｂのゲート電極として機能し、トランジスタ１２ｂのソース電極はデータ信号線１５Ｑに接続され、ドレイン電極はドレイン引き出し電極２７ｂを介して容量電極３７ｂに接続されている。容量電極３７ｂは保持容量配線１８ｂ上に設けられ、コンタクトホール１１ｂを介して画素電極１７ｂに接続されている。
【００５６】
同様に、走査信号線１６ａがトランジスタ１２Ａのゲート電極として機能し、トランジスタ１２Ａのソース電極はデータ信号線１５ｒに接続され、ドレイン電極はドレイン引き出し電極２７Ａを介して容量電極３７Ａに接続されている。容量電極３７Ａは保持容量配線１８Ａ上に設けられ、コンタクトホール１１Ａを介して画素電極１７Ａに接続されている。また、走査信号線１６ｂがトランジスタ１２Ｂのゲート電極として機能し、トランジスタ１２Ｂのソース電極はデータ信号線１５Ｒに接続され、ドレイン電極はドレイン引き出し電極２７Ｂを介して容量電極３７Ｂに接続されている。容量電極３７Ｂは保持容量配線１８ｂ上に設けられ、コンタクトホール１１Ｂを介して画素電極１７Ｂに接続されている。
【００５７】
本液晶パネル１０では、保持容量配線１８ａ及び容量電極３７ａがゲート絶縁膜を介して重なる部分に上記保持容量Ｃｈａ（図１参照）が形成され、保持容量配線１８ｂ及び容量電極３７ｂがゲート絶縁膜を介して重なる部分に上記保持容量Ｃｈｂ（図１参照）が形成され、保持容量配線１８ａ及び容量電極３７Ａがゲート絶縁膜を介して重なる部分に上記保持容量ＣｈＡ（図１参照）が形成され、保持容量配線１８ｂ及び容量電極３７Ｂがゲート絶縁膜を介して重なる部分に上記保持容量ＣｈＢ（図１参照）が形成される。
【００５８】
図６は図５のＸ−Ｙ矢視断面図である。同図に示すように、本液晶パネル１０は、アクティブマトリクス基板３と、これに対向するカラーフィルタ基板４と、両基板３・４間に配される液晶層５とを備える。アクティブマトリクス基板３では、ガラス基板３２上に走査信号線１６ａ（図示せず）及び保持容量配線１８ａが形成され、これを覆うようにゲート絶縁膜４３が形成されている。ゲート絶縁膜４３の上層には、容量電極３７ａ、データ信号線１５Ｐ・１５ｑ・１５Ｑ・１５ｒ、及び、ドレイン引き出し電極２７ａ（図示せず）が形成されている。なお、図示はしないが、ゲート絶縁膜４３の上層には、各トランジスタの半導体層（ｉ層及びｎ＋層）と、ｎ＋層に接するソース電極及びドレイン電極が形成されている。さらに、各データ信号線を含むメタル層を覆うように無機層間絶縁膜２５が形成され、無機層間絶縁膜２５上に、これよりも厚い有機層間絶縁膜２６が形成されている。有機層間絶縁膜２６上には画素電極１７ａ・１７Ａが形成され、さらに、これら画素電極を覆うように配向膜９が形成されている。なお、コンタクトホール１１ａの形成部では無機層間絶縁膜２５及び有機層間絶縁膜２６が刳り貫かれ、画素電極１７ａと容量電極３７ａとが接触している。また、保持容量配線１８ａ及び容量電極３７ａがゲート絶縁膜４３を介して重なる部分に保持容量Ｃｈａ（図１及び図２参照）が形成されている。さらに、データ信号線１５Ｐ及び画素電極１７ａが無機層間絶縁膜２５及び有機層間絶縁膜２６を介して重なる部分に容量ＣａＰ（図１及び図２参照）が形成され、データ信号線１５ｑ及び画素電極１７ａが無機層間絶縁膜２５及び有機層間絶縁膜２６を介して重なる部分に寄生容量Ｃｓｄ_ａｑ（図２参照）が形成され、データ信号線１５ｒ及び画素電極１７ａが無機層間絶縁膜２５及び有機層間絶縁膜２６を介して重なる部分に容量Ｃａｒ（図１及び図２参照）が形成され、データ信号線１５Ｑ及び画素電極１７ａが無機層間絶縁膜２５及び有機層間絶縁膜２６を介して重なる部分に寄生容量Ｃｓｄ_ａＱ（図２参照）が形成されている。
【００５９】
一方、カラーフィルタ基板４では、ガラス基板４１上にブラックマトリクス１３及び着色層（カラーフィルタ層）１４が形成され、その上層に共通電極（ｃｏｍ）２８が形成され、さらにこれを覆うように配向膜１９が形成されている。
【００６０】
以上の説明では、列方向に隣り合う２つの画素に含まれる各画素電極に、同時にデータ信号を書き込む構成について説明したが、本発明はこれに限定されるものではなく、各画素に対応する走査信号線を順次（１ラインずつ）選択して各画素電極に書き込む構成であってもよい。
【００６１】
（液晶パネルの製造方法）
次に、本発明の液晶パネルの製造方法について説明する。液晶パネルの製造方法には、アクティブマトリクス基板製造工程と、カラーフィルタ基板製造工程と、両基板を貼り合わせて液晶を充填する組み立て工程とが含まれる。
【００６２】
まず、ガラス、プラスチックなどの基板上に、チタン、クロム、アルミニウム、モリブデン、タンタル、タングステン、銅などの金属膜、それらの合金膜、または、それらの積層膜（厚さ１０００Å〜３０００Å）をスパッタリング法により成膜し、その後、フォトリソグラフィー技術（Photo Engraving Process、以下、「ＰＥＰ技術」と称し、これにはエッチング工程が含まれるものとする）によりパターニングを行い、走査信号線（各トランジスタのゲート電極）及び保持容量配線を形成する。
【００６３】
次いで、走査信号線が形成された基板全体に、ＣＶＤ（Chemical Vapor Deposition）法により窒化シリコンや酸化シリコンなどの無機絶縁膜（厚さ３０００Å〜５０００Å程度）を成膜し、フォトレジストの除去を行い、ゲート絶縁膜を形成する。
【００６４】
続いて、ゲート絶縁膜上（基板全体）に、ＣＶＤ法により真性アモルファスシリコン膜（厚さ１０００Å〜３０００Å）と、リンがドープされたｎ＋アモルファスシリコン膜（厚さ４００Å〜７００Å）とを連続して成膜し、その後、ＰＥＰ技術によってパターニングを行い、フォトレジストを除去することにより、ゲート電極上に、真性アモルファスシリコン層とｎ＋アモルファスシリコン層とからなるシリコン積層体を島状に形成する。
【００６５】
続いて、シリコン積層体が形成された基板全体に、チタン、クロム、アルミニウム、モリブデン、タンタル、タングステン、銅などの金属膜、それらの合金膜、または、それらの積層膜（厚さ１０００Å〜３０００Å）をスパッタリング法により成膜し、その後、ＰＥＰ技術によりパターニングを行い、データ信号線、トランジスタのソース電極・ドレイン電極、ドレイン引き出し電極、容量電極、及び延伸配線を形成する（メタル層の形成）。ここでは必要に応じてレジストを除去する。
【００６６】
さらに、上記メタル配線形成時のフォトレジスト、またはソース電極及びドレイン電極をマスクとして、シリコン積層体を構成するｎ＋アモルファスシリコン層をエッチング除去し、フォトレジストを除去することにより、トランジスタのチャネルを形成する。ここで、半導体層は、上記のようにアモルファスシリコン膜により形成させてもよいが、ポリシリコン膜を成膜させてもよく、また、アモルファスシリコン膜及びポリシリコン膜にレーザアニール処理を行って結晶性を向上させてもよい。これにより、半導体層内の電子の移動速度が速くなり、トランジスタ（ＴＦＴ）の特性を向上させることができる。
【００６７】
次いで、データ信号線などが形成された基板全体に層間絶縁膜を形成する。具体的には、ＳｉＨ４ガスとＮＨ３ガスとＮ２ガスとの混合ガスを用い、基板全面を覆うように、厚さ約３０００ÅのＳｉＮｘからなる無機層間絶縁膜（パッシベーション膜）をＣＶＤにて形成し、さらに、厚さ約３μｍのポジ型感光性アクリル樹脂からなる有機層間絶縁膜をスピンコートやダイコートにて形成する。
【００６８】
その後、ＰＥＰ技術により有機層間絶縁膜にコンタクトホールのパターニングを行い、その後有機層間絶縁膜を焼成する。さらに、有機層間絶縁膜のパターンを用いて、無機層間絶縁膜あるいは無機層間絶縁膜とゲート絶縁膜をエッチング除去してコンタクトホールを形成する。
【００６９】
続いて、コンタクトホールが形成された層間絶縁膜上の基板全体に、ＩＴＯ（Indium Tin Oxide）、ＩＺＯ（Indium Zinc Oxide）、酸化亜鉛、酸化スズなどからなる透明導電膜（厚さ１０００Å〜２０００Å）をスパッタリング法により成膜し、その後、ＰＥＰ技術によりパターニングを行い、レジストを除去して各画素電極を形成する。
【００７０】
最後に、画素電極上の基板全体に、ポリイミド樹脂を厚さ５００Å〜１０００Åで印刷し、その後、焼成して、回転布にて一方向にラビング処理を行って、配向膜を形成する。以上のようにして、アクティブマトリクス基板製造される。
【００７１】
以下に、カラーフィルタ基板製造工程について説明する。
【００７２】
まず、ガラス、プラスチックなどの基板上（基板全体）に、クロム薄膜、または黒色顔料を含有する樹脂を成膜した後にＰＥＰ技術によってパターニングを行い、ブラックマトリクスを形成する。次いで、ブラックマトリクスの間隙に、顔料分散法などを用いて、赤、緑及び青のカラーフィルタ層（厚さ２μｍ程度）をパターン形成する。
【００７３】
続いて、カラーフィルタ層上の基板全体に、ＩＴＯ、ＩＺＯ、酸化亜鉛、酸化スズなどからなる透明導電膜（厚さ１０００Å程度）を成膜し、共通電極（ｃｏｍ）を形成する。
【００７４】
最後に、共通電極上の基板全体に、ポリイミド樹脂を厚さ５００Å〜１０００Åで印刷し、その後、焼成して、回転布にて一方向にラビング処理を行って、配向膜を形成する。上記のようにして、カラーフィルタ基板を製造することができる。
【００７５】
以下に、組み立て工程について、説明する。
【００７６】
まず、アクティブマトリクス基板及びカラーフィルタ基板の一方に、スクリーン印刷により、熱硬化性エポキシ樹脂などからなるシール材料を液晶注入口の部分を欠いた枠状パターンに塗布し、他方の基板に液晶層の厚さに相当する直径を持ち、プラスチックまたはシリカからなる球状のスペーサーを散布する。なお、スペーサーを散布する代わりに、ＰＥＰ技術によりＣＦ基板のＢＭ上あるいはアクティブマトリクス基板のメタル配線上にスペーサーを形成してもよい。
【００７７】
次いで、アクティブマトリクス基板とカラーフィルタ基板とを貼り合わせ、シール材料を硬化させる。
【００７８】
最後に、アクティブマトリクス基板及びカラーフィルタ基板並びにシール材料で囲まれる空間に、減圧法により液晶材料を注入した後、液晶注入口にＵＶ硬化樹脂を塗布し、ＵＶ照射によって液晶材料を封止することで液晶層を形成する。以上のようにして、液晶パネルが製造される。
【００７９】
ここで、図１に示す液晶パネル１０を、以下のような構成としてもよい。以下では、本発明における液晶パネルの他の構成について説明する。なお、説明の便宜上、上述した液晶パネルと同一の構成部材に関する説明は適宜省略する。
【００８０】
（液晶パネルの構成例２）
図７は、構成例２における液晶パネル２０の構成の一部を示す等価回路図である。図７の液晶パネル２０では、データ信号線、走査信号線、保持容量配線、及び画素の配置は図１の液晶パネル１０と同じである。
【００８１】
本液晶パネル２０では、各画素に１つずつ画素電極が設けられ、画素１０１の画素電極１７ａは、走査信号線１６ａに繋がるトランジスタ１２ａを介してデータ信号線１５Ｑに接続され、画素１０２の画素電極１７ｂは、走査信号線１６ｂに繋がるトランジスタ１２ｂを介してデータ信号線１５ｑに接続され、画素１０３の画素電極１７ｃは、走査信号線１６ｃに繋がるトランジスタ１２ｃを介してデータ信号線１５Ｑに接続され、画素１０４の画素電極１７ｄは、走査信号線１６ｄに繋がるトランジスタ１２ｄを介してデータ信号線１５ｑに接続され、画素１０５の画素電極１７ｅは、走査信号線１６ｅに繋がるトランジスタ１２ｅを介してデータ信号線１５Ｑに接続され、画素１０６の画素電極１７ｆは、走査信号線１６ｆに繋がるトランジスタ１２ｆを介してデータ信号線１５ｑに接続されている。
【００８２】
一方、画素１１１の画素電極１７Ａは、走査信号線１６ａに繋がるトランジスタ１２Ａを介してデータ信号線１５ｒに接続され、画素１１２の画素電極１７Ｂは、走査信号線１６ｂに繋がるトランジスタ１２Ｂを介してデータ信号線１５Ｒに接続され、画素１１３の画素電極１７Ｃは、走査信号線１６ｃに繋がるトランジスタ１２Ｃを介してデータ信号線１５ｒに接続され、画素１１４の画素電極１７Ｄは、走査信号線１６ｄに繋がるトランジスタ１２Ｄを介してデータ信号線１５Ｒに接続され、画素１１５の画素電極１７Ｅは、走査信号線１６ｅに繋がるトランジスタ１２Ｅを介してデータ信号線１５ｒに接続され、画素１１６の画素電極１７Ｆは、走査信号線１６ｆに繋がるトランジスタ１２Ｆを介してデータ信号線１５Ｒに接続されている。
【００８３】
すなわち、図１の液晶パネル１０の構成とは異なり、画素列βの奇数番目となる各画素（１０１・１０３・１０５）の画素電極（１７ａ・１７ｃ・１７ｅ）が接続するデータ信号線１５Ｑと、画素列γの奇数番目となる画素（１１１・１１３・１１５）の画素電極（１７Ａ・１７Ｃ・１７Ｅ）が接続するデータ信号線１５ｒとが、隣り合っている。
【００８４】
図８は、図７に示す液晶パネル２０における画素１０１・１０２・１１１・１１２において形成される各容量の様子を示す等価回路図である。図２と同様、例えば画素電極１７ｂには、画素１０２に対応するデータ信号線１５ｑ及びデータ信号線１５Ｑとの間に寄生容量Ｃｓｄ＿ｂｑ及びＣｓｄ＿ｂＱが形成され、隣り合う画素列αに対応するデータ信号線１５Ｐ及び隣り合う画素列γに対応するデータ信号線１５ｒとの間に容量ＣｂＰ及びＣｂｒが形成されている。
【００８５】
図９は、図７の液晶パネル２０の駆動方法（ノーマリブラックモード）を示すタイミングチャートである。
【００８６】
本駆動方法では、図９に示されるように、走査信号線を２本ずつ同時選択していき、データ信号線に供給するデータ信号の極性を１フレーム期間ごとに反転させるとともに、同一水平走査期間においては、同一画素列に対応する２本のデータ信号線（１５ｐ・１５Ｐ、１５ｑ・１５Ｑ、１５ｒ・１５Ｒ）に逆極性のデータ信号を供給しつつ、隣り合う２本のデータ信号線（１５Ｐ・１５ｑ、１５Ｑ・１５ｒ、１５Ｒ・１５ｓ）に逆極性のデータ信号を供給する。すなわち、図３の駆動方法と比較すると、データ信号Ｓｑ及びＳＱを入れ替えた状態である。
【００８７】
これにより、各画素電位（Ｖａ・Ｖｂ・ＶＡ・ＶＢ・Ｖｃ・Ｖｄ・Ｖｅ・Ｖｆ）の変化は、図３に示す画素電位の変化と同じになる。
【００８８】
よって、フレームＦ１では、図１０に示すように、画素１０１の画素電極１７ａにはマイナス極性、画素１０２の画素電極１７ｂにはプラス極性、画素１０３の画素電極１７ｃにはマイナス極性、画素１０４の画素電極１７ｄにはプラス極性、画素１０５の画素電極１７ｅにはマイナス極性、画素１０６の画素電極１７ｆにはプラス極性のデータ信号が書き込まれ、画素１１１の画素電極１７Ａにはプラス極性、画素１１２の画素電極１７Ｂにはマイナス極性、画素１１３の画素電極１７Ｃにはプラス極性、画素１１４の画素電極１７Ｄにはマイナス極性、画素１１５の画素電極１７Ｅにはプラス極性、画素１１６の画素電極１７Ｆにはマイナス極性のデータ信号が書き込まれる。
【００８９】
また、フレームＦ２では、図１０に示すように、画素１０１の画素電極１７ａにはプラス極性、画素１０２の画素電極１７ｂにはマイナス極性、画素１０３の画素電極１７ｃにはプラス極性、画素１０４の画素電極１７ｄにはマイナス極性、画素１０５の画素電極１７ｅにはプラス極性、画素１０６の画素電極１７ｆにはマイナス極性のデータ信号が書き込まれ、画素１１１の画素電極１７Ａにはマイナス極性、画素１１２の画素電極１７Ｂにはプラス極性、画素１１３の画素電極１７Ｃにはマイナス極性、画素１１４の画素電極１７Ｄにはプラス極性、画素１１５の画素電極１７Ｅにはマイナス極性、画素１１６の画素電極１７Ｆにはプラス極性のデータ信号が書き込まれる。このように、本駆動方法でも、ドット反転駆動が実現される。
【００９０】
ここで、本構成では、データ信号線１５ｑでは、ｋ番目の水平走査期間にグレー色に対応するプラス極性のデータ信号が供給され、（ｋ＋１）番目の水平走査期間に黒色に対応するプラス極性のデータ信号が供給され、（ｋ＋２）番目の水平走査期間にグレー色に対応するプラス極性のデータ信号が供給される。一方、データ信号線１５Ｑでは、ｋ番目の水平走査期間にグレー色に対応するマイナス極性のデータ信号が供給され、（ｋ＋１）番目の水平走査期間に白色に対応するマイナス極性のデータ信号が供給され、（ｋ＋２）番目の水平走査期間にグレー色に対応するマイナス極性のデータ信号が供給される。すなわち、データ信号線１５ｑ・１５Ｑに供給されるデータ信号電位は、ｋ番目の水平走査期間から（ｋ＋１）番目の水平走査期間へ移行すると、突き下がる方向（マイナス側）へ変化し、（ｋ＋１）番目の水平走査期間から（ｋ＋２）番目の水平走査期間へ移行すると、突き上がる方向（プラス側）へ変化する。
【００９１】
そのため、画素電極１７ａでは、ｋ番目の水平走査期間に書き込まれた画素電位Ｖａ（グレー色に対応するマイナス極性のデータ信号）が、（ｋ＋１）番目の水平走査期間において、データ信号線１５ｑ・１５Ｑとの間の寄生容量Ｃｓｄ_ａｑ・Ｃｓｄ_ａＱに起因して、突き下げられる方向（マイナス側）に変動し、（ｋ＋２）番目の水平走査期間において、データ信号線１５ｑ・１５Ｑとの間の寄生容量Ｃｓｄ_ａｑ・Ｃｓｄ_ａＱに起因して、突き上げられる方向（プラス側）に変動する（図３４参照）。
【００９２】
しかし、本構成では、画素電極１７ａが、データ信号線１５Ｐ・１５ｒと容量ＣａＰ・Ｃａｒを形成している。このデータ信号線１５Ｐでは、ｋ番目の水平走査期間にグレー色に対応するマイナス極性のデータ信号が供給され、（ｋ＋１）番目の水平走査期間に黒色に対応するマイナス極性のデータ信号が供給され、（ｋ＋２）番目の水平走査期間にグレー色に対応するマイナス極性のデータ信号が供給される。また、データ信号線１５ｒでは、ｋ番目の水平走査期間にグレー色に対応するプラス極性のデータ信号が供給され、（ｋ＋１）番目の水平走査期間に白色に対応するプラス極性のデータ信号が供給され、（ｋ＋２）番目の水平走査期間にグレー色に対応するプラス極性のデータ信号が供給される。
【００９３】
そのため、画素電極１７ａでは、ｋ番目の水平走査期間に書き込まれた画素電位Ｖａ（グレー色に対応するマイナス極性のデータ信号）が、（ｋ＋１）番目の水平走査期間において、容量ＣａＰ・Ｃａｒに起因して、突き上げられる方向（プラス側）に変動し、（ｋ＋２）番目の水平走査期間において、容量ＣａＰ・Ｃａｒに起因して、突き下げられる方向（マイナス側）に変動する。これにより、構成例１と同様、クロストークの影響を抑え、表示品位を高めることができる。
【００９４】
図１１は、図７の液晶パネル２０の構成例２を示す平面図である。本液晶パネル２０では、データ信号線１５Ｑ及び走査信号線１６ａの交差部近傍にトランジスタ１２ａが設けられ、データ信号線１５ｑ及び走査信号線１６ｂの交差部近傍にトランジスタ１２ｂが設けられ、データ信号線１５ｒ及び走査信号線１６ａの交差部近傍にトランジスタ１２Ａが設けられ、データ信号線１５Ｒ及び走査信号線１６ｂの交差部近傍にトランジスタ１２Ｂが設けられている。その他の構成は、図５の液晶パネル１０と同様である。
【００９５】
（液晶パネルの構成例３）
図１２は、構成例３における液晶パネル３０の構成の一部を示す等価回路図である。図１２の液晶パネル３０では、データ信号線１５Ｐ・１５ｑ・１５Ｑ・１５ｒ・１５Ｒ・１５ｓがこの順に並べられ、行方向（図中左右方向）に延伸する走査信号線１６ａｂ・１６ｃｄ・１６ｅｆがこの順に並べられている。データ信号線１５ｑ・１５Ｑ及び走査信号線１６ａｂの交差部に対応して画素１０１・１０２が設けられ、データ信号線１５ｑ・１５Ｑ及び走査信号線１６ｃｂの交差部に対応して画素１０３・１０４が設けられ、データ信号線１５ｑ・１５Ｑ及び走査信号線１６ｅｆの交差部に対応して画素１０５・１０６が設けられている。同様に、データ信号線１５ｒ・１５Ｒ及び走査信号線１６ａｂの交差部に対応して画素１１１・１１２が設けられ、データ信号線１５ｒ・１５Ｒ及び走査信号線１６ｃｄの交差部に対応して画素１１３・１１４が設けられ、データ信号線１５ｒ・１５Ｒ及び走査信号線１６ｅｆの交差部に対応して画素１１５・１１６が設けられている。
【００９６】
また、画素１０１・１１１に対応して保持容量配線１８ｇが設けられ、画素１０２・１１２・１０３・１１３に対応して保持容量配線１８ｈが設けられ、画素１０４・１１４・１０５・１１５に対応して保持容量配線１８ｉが設けられ、画素１０６・１１６に対応して保持容量配線１８ｊが設けられている。
【００９７】
本液晶パネル３０では、保持容量配線１８ｇ及び画素電極１７ａ間に保持容量Ｃｈａが形成され、保持容量配線１８ｈ及び画素電極１７ｂ間に保持容量Ｃｈｂが形成され、保持容量配線１８ｈ及び画素電極１７ｃ間に保持容量Ｃｈｃが形成され、保持容量配線１８ｉ及び画素電極１７ｄ間に保持容量Ｃｈｄが形成され、保持容量配線１８ｉ及び画素電極１７ｅ間に保持容量Ｃｈｅが形成され、保持容量配線１８ｊ及び画素電極１７ｆ間に保持容量Ｃｈｆが形成される。同様に、保持容量配線１８ｇ及び画素電極１７Ａ間に保持容量ＣｈＡが形成され、保持容量配線１８ｈ及び画素電極１７Ｂ間に保持容量ＣｈＢが形成され、保持容量配線１８ｈ及び画素電極１７Ｃ間に保持容量ＣｈＣが形成され、保持容量配線１８ｉ及び画素電極１７Ｄ間に保持容量ＣｈＤが形成され、保持容量配線１８ｉ及び画素電極１７Ｅ間に保持容量ＣｈＥが形成され、保持容量配線１８ｊ及び画素電極１７Ｆ間に保持容量ＣｈＦが形成される。
【００９８】
図１３は、図１２の液晶パネル３０における画素１０１・１０２・１０３・１１１・１１２・１１３において形成される各容量の様子を示す等価回路図である。図２と同様、例えば画素電極１７ｂには、画素１０２に対応するデータ信号線１５ｑ及びデータ信号線１５Ｑとの間に寄生容量Ｃｓｄ＿ｂｑ及びＣｓｄ＿ｂＱが形成され、隣り合う画素列αに対応するデータ信号線１５Ｐ及び隣り合う画素列γに対応するデータ信号線１５ｒとの間に容量ＣｂＰ及びＣｂｒが形成される。
【００９９】
図１４は、図１２の液晶パネル３０の駆動方法（ノーマリブラックモード）を示すタイミングチャートである。なお、ＧＰａｂ・ＧＰｃｄ・ＧＰｅｆはそれぞれ、走査信号線１６ａｂ・１６ｃｄ・１６ｅｆに供給されるゲート信号を示している。
【０１００】
本駆動方法では、図１４に示されるように、走査信号線を１本ずつ選択していき、データ信号線に供給するデータ信号の極性を１フレーム期間ごとに反転させるとともに、同一水平走査期間においては、同一画素列に対応する２本のデータ信号線（１５ｐ・１５Ｐ、１５ｑ・１５Ｑ、１５ｒ・１５Ｒ）に逆極性のデータ信号を供給しつつ、隣り合う２本のデータ信号線（１５Ｐ・１５ｑ、１５Ｑ・１５ｒ、１５Ｒ・１５ｓ）には同極性のデータ信号を供給する。各画素電位の変化は、図３に示すタイミングチャートと同じであるため、ここではその説明を省略する。
【０１０１】
図１５は、図１２の液晶パネル３０の構成例３を示す平面図である。
【０１０２】
本液晶パネル３０では、図１５に示されるように、一対（２本）のデータ信号線１５ｑ・１５Ｑと、一対（２本）のデータ信号線１５ｒ・１５Ｒとが、データ信号線１５Ｑ及びデータ信号線１５ｒが隣り合うように設けられ、各データ信号線と直交するように、走査信号線１６ａｂ及び走査信号線１６ｃｄが設けられている。そして、データ信号線１５ｑ及び走査信号線１６ａｂの交差部近傍にトランジスタ１２ａが設けられ、データ信号線１５Ｑ及び走査信号線１６ａｂの交差部近傍にトランジスタ１２ｂが設けられ、データ信号線１５ｒ及び走査信号線１６ａｂの交差部近傍にトランジスタ１２Ａが設けられ、データ信号線１５Ｒ及び走査信号線１６ａｂの交差部近傍にトランジスタ１２Ｂが設けられている。また、データ信号線１５ｑ及び走査信号線１６ｃｄの交差部近傍にトランジスタ１２ｃが設けられ、データ信号線１５Ｑ及び走査信号線１６ｃｄの交差部近傍にトランジスタ１２ｄが設けられ、データ信号線１５ｒ及び走査信号線１６ｃｄの交差部近傍にトランジスタ１２Ｃが設けられ、データ信号線１５Ｒ及び走査信号線１６ｃｄの交差部近傍にトランジスタ１２Ｄが設けられている。
【０１０３】
画素電極１７ａ・１７ｂ・１７ｃ・１７ｄはそれぞれ、一部がデータ信号線１５Ｐ・１５ｑ・１５Ｑ・１５ｒに重なるように設けられ、画素電極１７Ａ・１７Ｂ・１７Ｃ・１７Ｄはそれぞれ、一部がデータ信号線１５Ｑ・１５ｒ・１５Ｒ・１５ｓに重なるように設けられている。
【０１０４】
また、画素電極１７ａ・１７Ａに重なるように保持容量配線１８ｇが設けられ、画素電極１７ｂ・１７Ｂ・１７ｃ・１７Ｃに重なるように保持容量配線１８ｈが設けられ、画素電極１７ｄ・１７Ｄに重なるように保持容量配線１８ｉが設けられている。
【０１０５】
そして、走査信号線１６ａｂがトランジスタ１２ａのゲート電極として機能し、トランジスタ１２ａのソース電極はデータ信号線１５ｑに接続され、ドレイン電極はドレイン引き出し電極２７ａを介して容量電極３７ａに接続されている。容量電極３７ａは保持容量配線１８ｇ上に設けられ、コンタクトホール１１ａを介して画素電極１７ａに接続されている。また、走査信号線１６ａｂがトランジスタ１２ｂのゲート電極として機能し、トランジスタ１２ｂのソース電極はデータ信号線１５Ｑに接続され、ドレイン電極はドレイン引き出し電極２７ｂを介して容量電極３７ｂに接続されている。容量電極３７ｂは保持容量配線１８ｈ上に設けられ、コンタクトホール１１ｂを介して画素電極１７ｂに接続されている。
【０１０６】
同様に、走査信号線１６ｃｄがトランジスタ１２ｃのゲート電極として機能し、トランジスタ１２ｃのソース電極はデータ信号線１５ｑに接続され、ドレイン電極はドレイン引き出し電極２７ｃを介して容量電極３７ｃに接続されている。容量電極３７ｃは保持容量配線１８ｈ上に設けられ、コンタクトホール１１ｃを介して画素電極１７ｃに接続されている。また、走査信号線１６ｃｄがトランジスタ１２ｄのゲート電極として機能し、トランジスタ１２ｄのソース電極はデータ信号線１５Ｑに接続され、ドレイン電極はドレイン引き出し電極２７ｄを介して容量電極３７ｄに接続されている。容量電極３７ｄは保持容量配線１８ｉ上に設けられ、コンタクトホール１１ｄを介して画素電極１７ｄに接続されている。画素電極１７Ａ・１７Ｂ・１７Ｃ・１７Ｄについては、上述の画素電極１７ａ・１７ｂ・１７ｃ・１７ｄの構成と同様である。
【０１０７】
本液晶パネル３０では、保持容量配線１８ｇ及び容量電極３７ａがゲート絶縁膜を介して重なる部分に上記保持容量Ｃｈａ（図１２参照）が形成され、保持容量配線１８ｈ及び容量電極３７ｂがゲート絶縁膜を介して重なる部分に上記保持容量Ｃｈｂ（図１２参照）が形成され、保持容量配線１８ｈおよび容量電極３７ｃがゲート絶縁膜を介して重なる部分に上記保持容量Ｃｈｃ（図１２参照）が形成され、保持容量配線１８ｉおよび容量電極３７ｄがゲート絶縁膜を介して重なる部分に上記保持容量Ｃｈｄ（図１２参照）が形成される。
【０１０８】
本液晶パネル３０では、２つの画素に対して走査信号線及び保持容量配線を１本ずつ設けているため、図１に示す液晶パネル１０と比較して、走査信号線及び保持容量配線の数を減らすことができる。よって、開口率を高めることができるため、光利用効率を向上させることができる。なお、走査信号線及び保持容量配線の数や配置は、液晶パネルの利用目的に合わせて適宜決定することができる。
【０１０９】
（液晶パネルの構成例４）
図１６は、構成例４における液晶パネル４０の構成の一部を示す等価回路図である。図１６の液晶パネル４０では、各画素に２つずつ画素電極が設けられ、画素１０１の画素電極１７ａｍは、走査信号線１６ａに繋がるトランジスタ１２ａｍを介してデータ信号線１５ｑに接続され、画素１０１の画素電極１７ａｓは、走査信号線１６ａに繋がるトランジスタ１２ａｓを介してデータ信号線１５ｑに接続されている。画素１０２の画素電極１７ｂｍは、走査信号線１６ｂに繋がるトランジスタ１２ｂｍを介してデータ信号線１５Ｑに接続され、画素１０２の画素電極１７ｂｓは、走査信号線１６ｂに繋がるトランジスタ１２ｂｓを介してデータ信号線１５Ｑに接続されている。画素１０３の画素電極１７ｃｍは、走査信号線１６ｃに繋がるトランジスタ１２ｃｍを介してデータ信号線１５ｑに接続され、画素１０３の画素電極１７ｃｓは、走査信号線１６ｃに繋がるトランジスタ１２ｃｓを介してデータ信号線１５ｑに接続されている。
【０１１０】
また、画素１１１の画素電極１７Ａｍは、走査信号線１６ａに繋がるトランジスタ１２Ａｍを介してデータ信号線１５ｒに接続され、画素１１１の画素電極１７Ａｓは、走査信号線１６ａに繋がるトランジスタ１２Ａｓを介してデータ信号線１５ｒに接続されている。画素１１２の画素電極１７Ｂｍは、走査信号線１６ｂに繋がるトランジスタ１２Ｂｍを介してデータ信号線１５Ｒに接続され、画素１１２の画素電極１７Ｂｓは、走査信号線１６ｂに繋がるトランジスタ１２Ｂｓを介してデータ信号線１５Ｒに接続されている。画素１１３の画素電極１７Ｃｍは、走査信号線１６ｃに繋がるトランジスタ１２Ｃｍを介してデータ信号線１５ｒに接続され、画素１１３の画素電極１７Ｃｓは、走査信号線１６ｃに繋がるトランジスタ１２Ｃｓを介してデータ信号線１５ｒに接続されている。
【０１１１】
また、保持容量配線１８ｇ及び画素電極１７ａｓ間に保持容量Ｃｈａｓが形成され、保持容量配線１８ｈ及び画素電極１７ａｍ間に保持容量Ｃｈａｍが形成され、保持容量配線１８ｈ及び画素電極１７ｂｓ間に保持容量Ｃｈｂｓが形成され、保持容量配線１８ｉ及び画素電極１７ｂｍ間に保持容量Ｃｈｂｍが形成され、保持容量配線１８ｉ及び画素電極１７ｃｓ間に保持容量Ｃｈｃｓが形成され、保持容量配線１８ｊ及び画素電極１７ｃｍ間に保持容量Ｃｈｃｍが形成される。同様に、保持容量配線１８ｇ及び画素電極１７Ａｓ間に保持容量ＣｈＡｓが形成され、保持容量配線１８ｈ及び画素電極１７Ａｍ間に保持容量ＣｈＡｍが形成され、保持容量配線１８ｈ及び画素電極１７Ｂｓ間に保持容量ＣｈＢｓが形成され、保持容量配線１８ｉ及び画素電極１７Ｂｍ間に保持容量ＣｈＢｍが形成され、保持容量配線１８ｉ及び画素電極１７Ｃｓ間に保持容量ＣｈＣｓが形成され、保持容量配線１８ｊ及び画素電極１７Ｃｍ間に保持容量ＣｈＣｍが形成される。
【０１１２】
上記の構成において、図３に示す駆動方法を適用することにより、上述した効果を奏することができる。さらに、本構成例では、図３に示す駆動方法に加えて、保持容量配線に供給するＣｓ信号をレベルシフトさせる。例えば画素１０２において、保持容量配線１８ｉに供給するＣｓ信号及び保持容量配線１８ｈに供給するＣｓ信号をそれぞれ、走査信号線１６ｂの走査終了後に互いに逆方向（突き上げ・下げ方向）にレベルシフトさせる。これにより、画素電極１７ｂｍ・１７ｂｓをそれぞれ含む２つの副画素ｂｍ・ｂｓの一方の電位を、データ信号線１５Ｑからの書き込み電位に対して上に振り、他方の電位を該書き込み電位に対して下に振ることができ、副画素ｂｍ・ｂｓを異なる輝度に制御することができる。例えば、保持容量配線１８ｉに供給するＣｓ信号を、走査信号線１６ｂの走査終了後に「Ｌ」から「Ｈ」にレベルシフトさせる（突き上げる）一方、保持容量配線１８ｈに供給するＣｓ信号を、走査信号線１６ｂの走査終了後に「Ｈ」から「Ｌ」にレベルシフトさせる（突き下げる）。これにより、画素電極１７ｂｍを含む副画素ｂｍの電位をデータ信号線１５Ｑからの書き込み電位に対して上に振り、画素電極１７ｂｓを含む副画素ｂｓの電位を該書き込み電位に対して下に振ることができ、書き込み電位がプラス極性であれば、副画素ｂｍ・ｂｓをそれぞれ、明副画素、暗副画素とすることができる。
【０１１３】
このように本液晶パネル４０では、明・暗副画素によって中間調を表示することができるため、視野角特性を高めることができる。
【０１１４】
（液晶パネルの構成例５）
ここで、上述した構成例１〜４では、ドット反転駆動を行う構成であったが、本発明はこれに限定されるものではなく、ライン反転駆動を行う構成であっても良い。
【０１１５】
図１７は、構成例５における液晶パネル５０の構成の一部を示す等価回路図であり、図１８は、本液晶パネル５０における画素１０１・１０２・１１１・１１２において形成される各容量の様子を示す等価回路図である。本液晶パネル５０の構成は、図１に示す液晶パネル１０の構成と同一であるため、その説明は省略する。
【０１１６】
図１９は、本液晶パネル５０の駆動方法（ノーマリブラックモード）を示すタイミングチャートである。
【０１１７】
本駆動方法では、図１９に示されるように、走査信号線を２本ずつ同時選択していき、データ信号線に供給するデータ信号の極性を１フレーム期間ごとに反転させるとともに、同一水平走査期間においては、同一画素列に対応する２本のデータ信号線（１５ｐ・１５Ｐ、１５ｑ・１５Ｑ、１５ｒ・１５Ｒ）に逆極性のデータ信号を供給しつつ、隣り合う２本のデータ信号線（１５Ｐ・１５ｑ、１５Ｑ・１５ｒ、１５Ｒ・１５ｓ）に逆極性のデータ信号を供給する。これにより、図２０に示すように、ライン反転駆動が実現される。
【０１１８】
そして、本駆動方法によれば、例えば図２１に示すような市松模様の画像を表示する際に生じ得る表示ムラを抑えることができる。
【０１１９】
すなわち、図１８に示されるように、データ信号線１５ｑでは、ｋ番目の水平走査期間（例えば、画素電極１７ａへの書き込み期間を含む）にグレー色に対応するプラス極性のデータ信号が供給され、（ｋ＋１）番目の水平走査期間（例えば、画素電極１７ｃへの書き込み期間を含む）に白色に対応するプラス極性のデータ信号が供給され、（ｋ＋２）番目の水平走査期間（例えば、画素電極１７ｅへの書き込み期間を含む）にグレー色に対応するプラス極性のデータ信号が供給される。一方、データ信号線１５Ｑでは、ｋ番目の水平走査期間（例えば、画素電極１７ｂへの書き込み期間を含む）にグレー色に対応するマイナス極性のデータ信号が供給され、（ｋ＋１）番目の水平走査期間（例えば、画素電極１７ｄへの書き込み期間を含む）に黒色に対応するマイナス極性のデータ信号が供給され、（ｋ＋２）番目の水平走査期間（例えば、画素電極１７ｆへの書き込み期間を含む）にグレー色に対応するマイナス極性のデータ信号が供給される。すなわち、データ信号線１５ｑ・１５Ｑに供給されるデータ信号電位は、ｋ番目の水平走査期間から（ｋ＋１）番目の水平走査期間へ移行すると、突き上がる方向（プラス側）へ変化し、（ｋ＋１）番目の水平走査期間から（ｋ＋２）番目の水平走査期間へ移行すると、突き下がる方向（マイナス側）へ変化する。
【０１２０】
そのため、例えば画素電極１７ａでは、ｋ番目の水平走査期間に書き込まれた画素電位Ｖａ（グレー色に対応するプラス極性のデータ信号）が、（ｋ＋１）番目の水平走査期間において、データ信号線１５ｑ・１５Ｑとの間の寄生容量Ｃｓｄ_ａｑ・Ｃｓｄ_ａＱに起因して、突き上げられる方向（プラス側）に変動し、（ｋ＋２）番目の水平走査期間において、データ信号線１５ｑ・１５Ｑとの間の寄生容量Ｃｓｄ_ａｑ・Ｃｓｄ_ａＱに起因して、突き下げられる方向（マイナス側）に変動する。これにより、表示ムラが生じることになる。
【０１２１】
この点、本構成では、画素電極１７ａが、データ信号線１５Ｐ・１５ｒと容量ＣａＰ・Ｃａｒを形成している。このデータ信号線１５Ｐでは、ｋ番目の水平走査期間にグレー色に対応するマイナス極性のデータ信号が供給され、（ｋ＋１）番目の水平走査期間に白色に対応するマイナス極性のデータ信号が供給され、（ｋ＋２）番目の水平走査期間にグレー色に対応するマイナス極性のデータ信号が供給される。また、データ信号線１５ｒでは、ｋ番目の水平走査期間にグレー色に対応するプラス極性のデータ信号が供給され、（ｋ＋１）番目の水平走査期間に黒色に対応するプラス極性のデータ信号が供給され、（ｋ＋２）番目の水平走査期間にグレー色に対応するプラス極性のデータ信号が供給される。
【０１２２】
そのため、画素電極１７ａでは、ｋ番目の水平走査期間に書き込まれた画素電位Ｖａ（グレー色に対応するプラス極性のデータ信号）が、（ｋ＋１）番目の水平走査期間において、容量ＣａＰ・Ｃａｒに起因して、突き下げられる方向（マイナス側）に変動し、（ｋ＋２）番目の水平走査期間において、容量ＣａＰ・Ｃａｒに起因して、突き上げられる方向（プラス側）に変動する。これにより、寄生容量に起因する電位変動を、隣り合う画素列に対応するデータ信号線との間に形成される容量に起因する電位変動により打ち消すことができるため、クロストークの影響を抑え、表示品位を高めることができる。
【０１２３】
同様に、画素電極１７ｂでは、ｋ番目の水平走査期間に書き込まれた画素電位Ｖｂ（グレー色に対応するマイナス極性のデータ信号）が、（ｋ＋１）番目の水平走査期間において、データ信号線１５ｑ・１５Ｑとの間の寄生容量Ｃｓｄ_ｂｑ・Ｃｓｄ_ｂＱに起因して突き上げられる方向（プラス側）に変動するが、容量ＣｂＰ・Ｃｂｒに起因して突き下げられる方向（マイナス側）に変動し、（ｋ＋２）番目の水平走査期間において、データ信号線１５ｑ・１５Ｑとの間の寄生容量Ｃｓｄ_ｂｑ・Ｃｓｄ_ｂＱに起因して突き上げられる方向（プラス側）に変動するが、容量ＣｂＰ・Ｃｂｒに起因して突き下げられる方向（マイナス側）に変動する。これにより、寄生容量に起因する電位変動を、隣り合う画素列に対応するデータ信号線との間に形成される容量に起因する電位変動により打ち消すことができるため、クロストークの影響を抑えることができる。
【０１２４】
このように、ライン反転駆動を行う構成であっても、列方向に生じ得る表示ムラを抑えることができる。
【０１２５】
なお、構成例２〜構成例４の各液晶パネルにおいて、データ信号線１５ｑ・１５Ｑに供給するデータ信号の極性を入れ替えることにより、ライン反転駆動を実現することができるとともに、図２１に示すような市松模様の表示画像に生じる表示ムラを抑えることができる。
【０１２６】
（液晶表示ユニット、液晶表示装置の構成）
最後に、本発明の液晶表示ユニットおよび液晶表示装置（表示装置）の構成例について説明する。上記各構成例では、以下のようにして、本液晶表示ユニットおよび液晶表示装置を構成する。すなわち、液晶パネルの両面に、２枚の偏光板Ａ・Ｂを、偏光板Ａの偏光軸と偏光板Ｂの偏光軸とが互いに直交するように貼り付ける。なお、偏光板には必要に応じて、光学補償シート等を積層してもよい。次に、図２２（ａ）に示すように、ドライバ（ゲートドライバ２０２、ソースドライバ２０１）を接続する。ここでは、一例として、ドライバをＴＣＰ（Ｔａｐｅ  Ｃａｒｅｅｒ  Ｐａｃｋａｇｅ）方式による接続について説明する。まず、液晶パネルの端子部にＡＣＦ（Ａｎｉｓｏｔｏｒｏｐｉ  Ｃｏｎｄｕｋｔｉｖｅ  Ｆｉｌｍ）を仮圧着する。ついで、ドライバが乗せられたＴＣＰをキャリアテープから打ち抜き、パネル端子電極に位置合わせし、加熱、本圧着を行う。その後、ドライバＴＣＰ同士を連結するための回路基板２０３（ＰＷＢ：Ｐｒｉｎｔｅｄ  Ｗｉｒｉｎｇ  Ｂｏａｒｄ）とＴＣＰの入力端子とをＡＣＦで接続する。これにより、液晶表示ユニット２００が完成する。その後、図２２（ｂ）に示すように、液晶表示ユニット２００の各ドライバ（２０１・２０２）に、回路基板２０３を介して表示制御回路２０９を接続し、照明装置（バックライトユニット）２０４と一体化することで、液晶表示装置２１０となる。
【０１２７】
図２３（ａ）に、本液晶表示装置において、リフレッシュ期間を設ける場合のソースドライバの構成を示す。なお、便宜上、ラッチ回路及びＤＡＣ回路（デジタル−アナログ変換回路）は省略している。図２３（ａ）に示すように、この場合のソースドライバには、各データ信号線に対応してバッファ３１と、データ出力用スイッチＳＷａと、リフレッシュ用スイッチＳＷｂとが設けられる。バッファ３１には対応するデータｄが入力され、バッファ３１の出力は、データ出力用スイッチＳＷａを介してデータ信号線への出力端に接続されている。また、隣り合う２本のデータ信号線それぞれに対応する出力端は、リフレッシュ用スイッチＳＷｂを介して互いに接続されている。すなわち、各リフレッシュ用スイッチＳＷｂは直列に接続され、その一端がリフレッシュ電位供給源３５（Ｖｃｏｍ）に接続されている。ここで、データ出力用スイッチＳＷａのゲート端子には、チャージシェア信号ｓｈがインバータ３３を介して入力され、リフレッシュ用スイッチＳＷｂのゲート端子には、チャージシェア信号ｓｈが入力される。
【０１２８】
なお、図２３（ａ）に示すソースドライバを図２３（ｂ）のように構成してもよい。すなわち、リフレッシュ用スイッチＳＷｃを、対応するデータ信号線とリフレッシュ電位供給源３５（Ｖｃｏｍ）にのみに接続し、各リフレッシュ用スイッチＳＷｃを直列に接続しない構成とする。こうすれば、各データ信号線に速やかにリフレッシュ電位を供給することができる。
【０１２９】
ここで、上記したソースドライバの構成ではリフレッシュ電位をＶｃｏｍとしているがこれに限定されない。例えば、同一データ信号線に１水平走査期間前に供給された信号電位のレベルと現水平走査期間に供給すべき信号電位とに基づいて適切なリフレッシュ電位を算出しておき、このリフレッシュ電位を該データ信号線に供給してもよい。この場合のソースドライバの構成を図２４に示す。該構成では、各データ信号線に対応して、データ出力用バッファ１１０と、リフレッシュ用バッファ１１１と、データ出力用スイッチＳＷａと、リフレッシュ用スイッチＳＷｅとが設けられる。データ出力用バッファ１１０には対応するデータｄが入力され、データ出力用バッファ１１０の出力は、データ出力用スイッチＳＷａを介してデータ信号線への出力端に接続されている。リフレッシュ用バッファ１１１には、対応する非画像データＮ（１水平走査期間前に供給された信号電位のレベルと現水平走査期間に供給すべき信号電位とに基づいて決定された最適なリフレッシュ電位に対応するデータ）が入力され、リフレッシュ用バッファ１１１の出力は、リフレッシュ用スイッチＳＷｅを介してデータ信号線への出力端に接続されている。
【０１３０】
本願でいう「電位の極性」とは、基準となる電位に対する高（プラス）・低（マイナス）を意味する。ここで、基準となる電位は、共通電極（対向電極）の電位であるＶｃｏｍ（コモン電位）であってもその他任意の電位であってもよい。
【０１３１】
図２５は、本液晶表示装置の構成を示すブロック図である。同図に示されるように、本液晶表示装置は、表示部（液晶パネル）と、ソースドライバ（ＳＤ）と、ゲートドライバ（ＧＤ）と、表示制御回路とを備えている。ソースドライバはデータ信号線を駆動し、ゲートドライバは走査信号線を駆動し、表示制御回路は、ソースドライバおよびゲートドライバを制御する。
【０１３２】
表示制御回路は、外部の信号源（例えばチューナ）から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取る。また、表示制御回路は、受け取ったこれらの信号Ｄｖ，ＨＳＹ，ＶＳＹ，Ｄｃに基づき、そのデジタルビデオ信号Ｄｖの表す画像を表示部に表示させるための信号として、データスタートパルス信号ＳＳＰと、データクロック信号ＳＣＫと、チャージシェア信号ｓｈと、表示すべき画像を表すデジタル画像信号ＤＡ（ビデオ信号Ｄｖに対応する信号）と、ゲートスタートパルス信号ＧＳＰと、ゲートクロック信号ＧＣＫと、ゲートドライバ出力制御信号（走査信号出力制御信号）ＧＯＥとを生成し、これらを出力する。
【０１３３】
より詳しくは、ビデオ信号Ｄｖを内部メモリで必要に応じてタイミング調整等を行った後に、デジタル画像信号ＤＡとして表示制御回路から出力し、そのデジタル画像信号ＤＡの表す画像の各画素に対応するパルスからなる信号としてデータクロック信号ＳＣＫを生成し、水平同期信号ＨＳＹに基づき１水平走査期間毎に所定期間だけハイレベル（Ｈレベル）となる信号としてデータスタートパルス信号ＳＳＰを生成し、垂直同期信号ＶＳＹに基づき１フレーム期間（１垂直走査期間）毎に所定期間だけＨレベルとなる信号としてゲートスタートパルス信号ＧＳＰを生成し、水平同期信号ＨＳＹに基づきゲートクロック信号ＧＣＫを生成し、水平同期信号ＨＳＹおよび制御信号Ｄｃに基づきチャージシェア信号ｓｈ、ならびにゲートドライバ出力制御信号ＧＯＥを生成する。
【０１３４】
上記のようにして表示制御回路において生成された信号のうち、デジタル画像信号ＤＡ、チャージシェア信号ｓｈ、信号電位（データ信号電位）の極性を制御する信号ＰＯＬ、データスタートパルス信号ＳＳＰ、およびデータクロック信号ＳＣＫは、ソースドライバに入力され、ゲートスタートパルス信号ＧＳＰとゲートクロック信号ＧＣＫとゲートドライバ出力制御信号ＧＯＥとは、ゲートドライバに入力される。
【０１３５】
ソースドライバは、デジタル画像信号ＤＡ、データクロック信号ＳＣＫ、チャージシェア信号ｓｈ、データスタートパルス信号ＳＳＰ、および極性反転信号ＰＯＬに基づき、デジタル画像信号ＤＡの表す画像の各走査信号線における画素値に相当するアナログ電位（信号電位）を１水平走査期間毎に順次生成し、これらのデータ信号をデータ信号線（例えば、１５ｑ・１５Ｑ）に出力する。
【０１３６】
ゲートドライバは、ゲートスタートパルス信号ＧＳＰおよびゲートクロック信号ＧＣＫと、ゲートドライバ出力制御信号ＧＯＥとに基づき、ゲートオンパルス信号を生成し、これらを走査信号線に出力し、これによって走査信号線を選択的に駆動する。
【０１３７】
上記のようにソースドライバおよびゲートドライバにより表示部（液晶パネル）のデータ信号線および走査信号線が駆動されることで、選択された走査信号線に接続されたトランジスタ（ＴＦＴ）を介して、データ信号線から画素電極に信号電位が書き込まれる。これにより各副画素の液晶層に電圧が印加され、これによってバックライトからの光の透過量が制御され、デジタルビデオ信号Ｄｖの示す画像が各副画素に表示される。
【０１３８】
次に、本液晶表示装置をテレビジョン受信機に適用するときの一構成例について説明する。図２６は、テレビジョン受信機用の液晶表示装置８００の構成を示すブロック図である。液晶表示装置８００は、液晶表示ユニット８４と、Ｙ／Ｃ分離回路８０と、ビデオクロマ回路８１と、Ａ／Ｄコンバータ８２と、液晶コントローラ８３と、バックライト駆動回路８５と、バックライト８６と、マイコン（マイクロコンピュータ）８７と、階調回路８８とを備えている。なお、液晶表示ユニット８４は、液晶パネルと、これを駆動するためのソースドライバおよびゲートドライバとで構成される。
【０１３９】
上記構成の液晶表示装置８００では、まず、テレビジョン信号としての複合カラー映像信号Ｓｃｖが外部からＹ／Ｃ分離回路８０に入力され、そこで輝度信号と色信号に分離される。これらの輝度信号と色信号は、ビデオクロマ回路８１にて光の３原色に対応するアナログＲＧＢ信号に変換され、さらに、このアナログＲＧＢ信号はＡ／Ｄコンバータ８２により、デジタルＲＧＢ信号に変換される。このデジタルＲＧＢ信号は液晶コントローラ８３に入力される。また、Ｙ／Ｃ分離回路８０では、外部から入力された複合カラー映像信号Ｓｃｖから水平および垂直同期信号も取り出され、これらの同期信号もマイコン８７を介して液晶コントローラ８３に入力される。
【０１４０】
液晶表示ユニット８４には、液晶コントローラ８３からデジタルＲＧＢ信号が、上記同期信号に基づくタイミング信号と共に所定のタイミングで入力される。また、階調回路８８では、カラー表示の３原色Ｒ，Ｇ，Ｂそれぞれの階調電位が生成され、それらの階調電位も液晶表示ユニット８４に供給される。液晶表示ユニット８４では、これらのＲＧＢ信号、タイミング信号および階調電位に基づき内部のソースドライバやゲートドライバ等により駆動用信号（データ信号＝信号電位、走査信号等）が生成され、それらの駆動用信号に基づき、内部の液晶パネルにカラー画像が表示される。なお、この液晶表示ユニット８４によって画像を表示するには、液晶表示ユニット内の液晶パネルの後方から光を照射する必要があり、この液晶表示装置８００では、マイコン８７の制御の下にバックライト駆動回路８５がバックライト８６を駆動することにより、液晶パネルの裏面に光が照射される。上記の処理を含め、システム全体の制御はマイコン８７が行う。なお、外部から入力される映像信号（複合カラー映像信号）としては、テレビジョン放送に基づく映像信号のみならず、カメラにより撮像された映像信号や、インターネット回線を介して供給される映像信号なども使用可能であり、この液晶表示装置８００では、様々な映像信号に基づいた画像表示が可能である。
【０１４１】
液晶表示装置８００でテレビジョン放送に基づく画像を表示する場合には、図２７に示すように、液晶表示装置８００にチューナ部９０が接続され、これによって本テレビジョン受像機６０１が構成される。このチューナ部９０は、アンテナ（不図示）で受信した受信波（高周波信号）の中から受信すべきチャンネルの信号を抜き出して中間周波信号に変換し、この中間周波数信号を検波することによってテレビジョン信号としての複合カラー映像信号Ｓｃｖを取り出す。この複合カラー映像信号Ｓｃｖは、既述のように液晶表示装置８００に入力され、この複合カラー映像信号Ｓｃｖに基づく画像が該液晶表示装置８００によって表示される。
【０１４２】
なお、本液晶表示装置を、デジタルテレビに適用することもできる。本デジタルテレビは、概略的には、本液晶表示装置、スピーカ、デジタル放送用アンテナ、デジタルチューナ、デジタル復調部、分離部（ＤＭＵＸ）、ビデオデコード／キャプチャ部、映像処理部、表示制御部、オーディオデコード部、音声出力制御部、選局部、ＥＰＧ／ＯＳＤ予約処理部、リモコン受光部、通信制御部、不揮発性メモリ、ＩＰ放送チューナ、及びＣＰＵを備えて構成される。本デジタルテレビにおいて、本液晶表示装置を除いた各部は、周知の構成を適用することができる。
【０１４３】
図２８は、本テレビジョン受像機の一構成例を示す分解斜視図である。同図に示すように、本テレビジョン受像機６０１は、その構成要素として、液晶表示装置８００の他に第１筐体８０１および第２筐体８０６を有しており、液晶表示装置８００を第１筐体８０１と第２筐体８０６とで包み込むようにして挟持した構成となっている。第１筐体８０１には、液晶表示装置８００で表示される画像を透過させる開口部８０１ａが形成されている。また、第２筐体８０６は、液晶表示装置８００の背面側を覆うものであり、該液晶表示装置８００を操作するための操作用回路８０５が設けられると共に、下方に支持用部材８０８が取り付けられている。
【０１４４】
以上のように、本発明に係る表示装置は、
複数の走査信号線と複数のデータ信号線とを備え、データ信号線が延伸する列方向に並べられた複数の画素を含む画素列ごとに、２本のデータ信号線が設けられた表示装置であって、
各画素列において、列方向に隣り合う２つの画素の一方に含まれる画素電極がトランジスタを介して接続されるデータ信号線と、上記隣り合う２つの画素の他方に含まれる画素電極がトランジスタを介して接続されるデータ信号線とが、互いに異なっており、
順に並べられた第１、第２及び第３画素列について、第２画素列に含まれる各画素電極は、第１画素列に対応して設けられた２本のデータ信号線の一方と容量を形成しているとともに、第３画素列に対応して設けられた２本のデータ信号線の一方と容量を形成していることを特徴とする。
【０１４５】
上記の構成によれば、各画素電極において、自画素に対応するデータ信号線との間に形成される寄生容量に起因するクロストークの影響を、隣り合う画素列に対応するデータ信号線との間に形成される容量により低減することができる。これにより、各画素電極における画素電位の変動を抑えることができるため、液晶表示装置の表示品位を高めることができる。
【０１４６】
上記表示装置では、
順に並べられた第１、第２及び第３画素列について、
第１画素列に含まれる各画素電極は、第２画素列に対応して設けられた２本のデータ信号線の一方と容量を形成しており、
第３画素列に含まれる各画素電極は、第２画素列に対応して設けられた２本のデータ信号線の他方と容量を形成している構成とすることもできる。
【０１４７】
上記表示装置では、第２画素列に含まれる各画素電極は、第１画素列に対応して設けられた２本のデータ信号線の一方に重なるように配されるとともに、第３画素列に対応して設けられた２本のデータ信号線の一方に重なるように配されている構成とすることもできる。
【０１４８】
上記表示装置では、
第１画素列に含まれる各画素電極は、第２画素列に対応して設けられた２本のデータ信号線の一方に重なるように配され、
第３画素列に含まれる各画素電極は、第２画素列に対応して設けられた２本のデータ信号線の他方に重なるように配されている構成とすることもできる。
【０１４９】
上記表示装置では、
走査信号線がＮ本（Ｎは１以上の整数）ずつ同時に選択され、
列方向に隣り合う２つの画素の一方に含まれる画素電極が接続されるトランジスタと、上記隣り合う２つの画素の他方に含まれる画素電極が接続されるトランジスタとが、それぞれ、同時に選択されるＮ本の走査信号線に接続されている構成とすることもできる。
【０１５０】
上記表示装置では、
上記Ｎが２であって、走査信号線が２本ずつ同時選択され、
上記隣り合う２つの画素の一方に含まれる画素電極が接続されるトランジスタが、同時に選択される２本の走査信号線の一方に接続され、上記隣り合う２つの画素の他方に含まれる画素電極が接続されるトランジスタが、同時に選択される上記２本の走査信号線の他方に接続されている構成とすることもできる。
【０１５１】
上記表示装置では、同一水平走査期間では、１画素列に対応して設けられる２本のデータ信号線に、互いに異なる極性のデータ信号が供給される構成とすることもできる。
【０１５２】
上記表示装置では、１つの画素に複数の画素電極が設けられている構成とすることもできる。
【０１５３】
上記表示装置では、ドット反転駆動またはライン反転駆動を適用することができる。
【０１５４】
また、本液晶表示装置は、上記表示装置を備えることを特徴とする。また、本テレビジョン受像機は、上記液晶表示装置と、テレビジョン放送を受信するチューナ部とを備えることを特徴とする。
【０１５５】
本発明は上記の実施の形態に限定されるものではなく、上記実施の形態を技術常識に基づいて適宜変更したものやそれらを組み合わせて得られるものも本発明の実施の形態に含まれる。
【産業上の利用可能性】
【０１５６】
本発明の液晶パネルは、例えば液晶テレビに好適である。
【符号の説明】
【０１５７】
１０、２０、３０、４０、５０  液晶パネル
１０１〜１０６、１１１〜１１６  画素
ａ〜ｆ、Ａ〜Ｆ  画素
１２ａ〜１２ｆ、１２Ａ〜１２Ｆ  トランジスタ
１５ｐ、１５Ｐ、１５ｑ、１５Ｑ、１５ｒ、１５Ｒ、１５ｓ、１５Ｓ  データ信号線
１６ａ〜１６ｆ、１６ａｂ、１６ｃｄ、１６ｅｆ  走査信号線
１７ａ〜１７ｆ、１７Ａ〜１７Ｆ  画素電極
１８ａ〜１８ｆ、１８ｇ、１８ｈ、１８ｉ  保持容量配線
α  画素列（第１画素列）
β  画素列（第２画素列）
γ  画素列（第３画素列）
８４  液晶表示ユニット
６０１  テレビジョン受像機
８００  液晶表示装置（表示装置）
【図１】
0005572213.tif 000002
【図２】
0005572213.tif 000003
【図３】
0005572213.tif 000004
【図４】
0005572213.tif 000005
【図５】
0005572213.tif 000006
【図６】
0005572213.tif 000007
【図７】
0005572213.tif 000008
【図８】
0005572213.tif 000009
【図９】
0005572213.tif 000010
【図１０】
0005572213.tif 000011
【図１１】
0005572213.tif 000012
【図１２】
0005572213.tif 000013
【図１３】
0005572213.tif 000014
【図１４】
0005572213.tif 000015
【図１５】
0005572213.tif 000016
【図１６】
0005572213.tif 000017
【図１７】
0005572213.tif 000018
【図１８】
0005572213.tif 000019
【図１９】
0005572213.tif 000020
【図２０】
0005572213.tif 000021
【図２２】
0005572213.tif 000022
【図２３】
0005572213.tif 000023
【図２４】
0005572213.tif 000024
【図２５】
0005572213.tif 000025
【図２６】
0005572213.tif 000026
【図２７】
0005572213.tif 000027
【図２８】
0005572213.tif 000028
【図２９】
0005572213.tif 000029
【図３２】
0005572213.tif 000030
【図３３】
0005572213.tif 000031
【図３４】
0005572213.tif 000032
【図２１】
0005572213.tif 000033
【図３０】
0005572213.tif 000034
【図３１】
0005572213.tif 000035
【図３５】
0005572213.tif 000036